(57)【要約】【課題】本発明は、ビデオのバックアップ方法、装置、プログラム及び記録媒体を提供する。【解決手段】前記方法は、撮像設備が携帯端末の設定指令を受信し、受信した設定指令に基づき録画パラメータを設定するステップと、撮像設備がビデオファイルを録画するステップと、ローカルルータが携帯端末の設定指令を受信し、受信した設定指令に基づき記憶パラメータを設定し、接続された撮像設備が録画したビデオファイルを取得するステップと、ローカルルータが、取得したビデオファイルをローカルにバックアップするステップと、を備える。本発明は、録画したビデオファイルを接続されたローカルルータにバックアップすることにより、一層大きい記憶空間を提供することができ、素早くサーチするか、プレビューすることが便利になり、記憶されるビデオファイルのセキュリティ性がさらに高くなる。【選択図】図３
2016534666.tif 000002
【特許請求の範囲】
【請求項１】
ビデオファイルを録画するステップと、
録画したビデオファイルを接続されたローカルルータにバックアップするステップと、を備えることを特徴とするビデオのバックアップ方法。
【請求項２】
前記ビデオファイルを録画するステップの前に、
携帯端末の設定指令を受信するステップと、
接收した設定指令に基づき録画パラメータを設定するステップと、を備え、
前記設定指令は、録画品質を設定する指令、ビデオファイルのグルーピングサイクルを設定する指令、及び各ビデオファイルの再生時間を設定する指令の中の少なくとも１つを備えることを特徴とする請求項１に記載のビデオのバックアップ方法。
【請求項３】
前記ビデオファイルを録画するステップは、
設定した前記録画品質及びビデオファイルの再生時間に基づき各ビデオファイルを録画するステップと、
各ビデオファイルの録画開始時間を当該ビデオファイルのファイル名に付けて、ローカルに保存するステップと、
前記ビデオファイルのグルーピングサイクル内に録画したビデオファイルを独立のビデオフォルダに分類するステップと、を備えることを特徴とする請求項２に記載のビデオのバックアップ方法。
【請求項４】
前記録画したビデオファイルを接続されたローカルルータにバックアップするステップは、
録画したビデオファイルにおいて画像が変化したか否かを検出するステップと、
前記ビデオファイルにおいて画像が変化したことを検出した場合、当該ビデオファイルを接続されたローカルルータにバックアップするステップと、を備えることを特徴とする請求項１に記載のビデオのバックアップ方法。
【請求項５】
前記録画したビデオファイルにおいて画像が変化したか否かを検出するステップは、
前記ビデオファイルに対して動的検出を行うステップと、
前記ビデオファイルにおいて動的目標が存在していることを検出した場合、前記ビデオファイルにおいて画像が変化したと確定するステップと、を備えることを特徴とする請求項４に記載のビデオのバックアップ方法。
【請求項６】
前記録画したビデオファイルにおいて画像が変化したか否かを検出するステップは、
前記ビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えることを特徴とする請求項４に記載のビデオのバックアップ方法。
【請求項７】
前記ビデオファイルにおいて変化したビデオフレームを前記ビデオファイルの表紙に設定するステップをさらに備えることを特徴とする請求項４に記載のビデオのバックアップ方法。
【請求項８】
前記接続はＷｉ−Ｆｉ接続であることを特徴とする請求項１に記載のビデオのバックアップ方法。
【請求項９】
接続された撮像設備が録画したビデオファイルを取得するステップと、
取得したビデオファイルをローカルにバックアップするステップと、を備えることを特徴とするビデオのバックアップ方法。
【請求項１０】
前記接続された撮像設備が録画したビデオファイルを取得するステップの前に、
携帯端末の設定指令を受信するステップと、
接收した設定指令に基づき記憶パラメータを設定するステップと、を備え、
前記設定指令は、記憶品質を設定する指令、記憶空間の大きさを設定する指令、及び記憶時間の長さを設定する指令の中の少なくとも１つを備えることを特徴とする請求項９に記載のビデオのバックアップ方法。
【請求項１１】
前記取得したビデオファイルをローカルにバックアップするステップは、
取得したビデオファイルにおいて画像が変化したか否かを検出ステップと、
前記ビデオファイルにおいて画像が変化したことを検出した場合、取得したビデオファイルをローカルにバックアップするステップと、を備えることを特徴とする請求項９に記載のビデオのバックアップ方法。
【請求項１２】
前記取得したビデオファイルにおいて画像が変化したか否かを検出するステップは、
取得したビデオファイルに対して動的検出を行うステップと、
前記ビデオファイルにおいて動的目標が存在していることを検出した場合、当該ビデオファイルにおいて画像が変化したと確定するステップと、を備えることを特徴とする請求項１１に記載のビデオのバックアップ方法。
【請求項１３】
前記取得したビデオファイル画像が変化したか否かを検出するステップは、
取得したビデオファイルに対してビデオフレーム検出を行うステップと、
当該ビデオファイルにおいてビデオフレームの画像変化面積が閾値よりも大きいことを検出したとき、当該ビデオファイルにおいて画像が変化したと確定するステップと、を備えることを特徴とする請求項１１に記載のビデオのバックアップ方法。
【請求項１４】
ビデオファイルを録画する録画モジュールと、
録画したビデオファイルを接続されたローカルルータにバックアップする第１のバックアップモジュールと、を備えることを特徴とするビデオのバックアップ装置。
【請求項１５】
ビデオファイルを録画する前に、携帯端末の設定指令を受信する第１の受信モジュールと、
受信した設定指令により録画パラメータを設定する第１の設定モジュールと、をさらに備え、
前記設定指令は、録画品質を設定する指令、ビデオファイルのグルーピングサイクルを設定する指令、及び各ビデオファイルの再生時間を設定する指令の中の少なくとも１つを備えることを特徴とする請求項１４に記載のビデオのバックアップ装置。
【請求項１６】
前記録画モジュールは、
設定した前記録画品質及びビデオファイルの再生時間に基づき各ビデオファイルを録画する録画サブモジュールと、
各ビデオファイルの録画開始時間を当該ビデオファイルのファイル名に付けて、ローカルに保存する設定サブモジュールと、
前記ビデオファイルのグルーピングサイクル内に録画したビデオファイルを独立のビデオフォルダに分類する分類サブモジュールと、を備えることを特徴とする請求項１５に記載のビデオのバックアップ装置。
【請求項１７】
前記第１のバックアップモジュールは、
録画したビデオファイルにおいて画像が変化したか否かを検出する第１の検出サブモジュールと、
前記ビデオファイルにおいて画像が変化したことを検出した場合、当該ビデオファイルを接続されたローカルルータにバックアップする第１のバックアップサブモジュールと、を備えることを特徴とする請求項１に記載のビデオのバックアップ装置。
【請求項１８】
前記第１の検出サブモジュールは、
前記ビデオファイルに対して動的検出を行う第１の動的検出サブモジュールと、
前記ビデオファイルにおいて動的目標が存在していることを検出した場合、前記ビデオファイルにおいて画像が変化したと確定する第１の確定サブモジュールと、を備えることを特徴とする請求項１７に記載のビデオのバックアップ装置。
【請求項１９】
前記第１の検出サブモジュールは、
前記ビデオファイルに対してビデオフレーム検出を行う第１のフレーム検出サブモジュールと、
当該ビデオファイルにおいてビデオフレームの画像変化面積が閾値よりも大きいことを検出した場合、当該ビデオファイルにおいて画像が変化したと確定する第２の確定サブモジュールと、を備えることを特徴とする請求項１７に記載のビデオのバックアップ装置。
【請求項２０】
前記ビデオファイルにおいて変化したビデオフレームを前記ビデオファイルの表紙に設定する表紙設定モジュールをさらに備えることを特徴とする請求項１７に記載のビデオのバックアップ装置。
【請求項２１】
前記接続はＷｉ−Ｆｉ接続であることを特徴とする請求項１に記載のビデオのバックアップ装置。
【請求項２２】
接続された撮像設備から録画したビデオファイルを取得する取得モジュールと、
取得したビデオファイルをローカルにバックアップする第２のバックアップモジュールと、を備えることを特徴とするビデオのバックアップ装置。
【請求項２３】
接続された撮像設備から録画したビデオファイルを取得する前、携帯端末の設定指令を受信する第２の受信モジュールと、
受信した設定指令に基づき記憶パラメータを設定する第２の設定モジュールと、をさらに備え、
前記設定指令は、記憶品質を設定する指令、記憶空間の大きさを設定する指令、及び記憶時間の長さを設定する指令の中の少なくとも１つを備えることを特徴とする請求項２２に記載のビデオのバックアップ装置。
【請求項２４】
前記第２のバックアップモジュールは、
取得したビデオファイルにおいて画像が変化したか否かを検出する第２の検出サブモジュールと、
前記ビデオファイルにおいて画像が変化したことを検出した場合、取得したビデオファイルをローカルにバックアップする第２のバックアップサブモジュールと、を備えることを特徴とする請求項２２に記載のビデオのバックアップ装置。
【請求項２５】
前記第２の検出サブモジュールは、
取得したビデオファイルに対して動的検出を行う第２の動的検出サブモジュールと、
前記ビデオファイルにおいて動的目標が存在していることを検出した場合、当該ビデオファイルにおいて画像が変化したと確定する第３の確定サブモジュールと、を備えることを特徴とする請求項２４に記載のビデオのバックアップ装置。
【請求項２６】
前記第２の検出サブモジュールは、
取得したビデオファイルに対してビデオフレーム検出を行う第２のフレーム検出サブモジュールと、
当該ビデオファイルにおいてビデオフレームの画像変化面積が閾値よりも大きいことを検出した場合、当該ビデオファイルにおいて画像が変化したと確定する第４の確定サブモジュールと、を備えることを特徴とする請求項２４に記載のビデオのバックアップ装置。
【請求項２７】
プロセッサーと
プロセッサーが実行可能な指令を記憶するメモリと、を備え、
前記プロセッサーは、
ビデオファイルを録画し、
録画したビデオファイルを接続されたローカルルータにバックアップするように配置されることを特徴とするビデオのバックアップ装置。
【請求項２８】
プロセッサーと、
プロセッサーが実行可能な指令を記憶するメモリと、を備え、
前記プロセッサーは、
接続された撮像設備から録画したビデオファイルを取得し、
取得したビデオファイルをローカルにバックアップするように配置されることを特徴とするビデオのバックアップ装置。
【発明の詳細な説明】
【相互参照】
【０００１】
本願は、出願番号がＣＮ２０１４１０４０４８９１.７であって、出願日が２０１４年８月１５日である中国特許出願に基づき優先権を主張し、当該中国特許出願の内容の全てを本願に援用する。
【技術分野】
【０００２】
本発明は、記憶技術分野に関し、特にビデオのバックアップ方法及び装置に関する。
【背景技術】
【０００３】
Ｗｉ−Ｆｉの普及につれて、Ｗｉ−Ｆｉ機能を搭載したスマートカメラが素早く発展し、そのため、録画したビデオをバックアップすることは、スマートカメラにとって重要な機能になっている。現在、大部分のスマートカメラは、バックアップ方法として、録画したビデオをクラウドにアップロードしてクラウドバックアップしている。しかしながら、クラウドバックアップには、セキュリティ性問題が存在するだけでなく、ユーザはネットワーク帯域の制限のため録画したビデオを素早くサーチするか、プレビューすることができない。
【発明の概要】
【０００４】
本発明は、かかる技術に存在する技術的課題を克服するために、ビデオのバックアップ方法及び装置を提供する。
【０００５】
本発明の第１の方面は、
ビデオファイルを録画するステップと、
録画したビデオファイルを接続されたローカルルータにバックアップするステップと、を備える、ビデオのバックアップ方法を提供する。
【０００６】
また、前記ビデオファイルを録画するステップの前に、
携帯端末の設定指令を受信するステップと、
受信した設定指令により録画パラメータを設定するステップと、をさらに備え、
前記設定指令は、録画品質を設定する指令、ビデオファイルのグルーピングサイクルを設定する指令、及び各ビデオファイルの再生時間を設定する指令中の少なくとも１つを備えてもよい。
【０００７】
また、前記ビデオファイルを録画するステップは、
設定した前記録画品質及びビデオファイルの再生時間に基づき各ビデオファイルを録画するステップと、
各ビデオファイルの録画開始時間を該ビデオファイルのファイル名に付けて、ローカルに保存するステップと、
前記ビデオファイルのグルーピングサイクル内に録画したビデオファイルを独立のビデオフォルダに分類するステップと、を備えてもよい。
【０００８】
また、前記録画したビデオファイルを接続されたローカルルータにバックアップするステップは、
録画したビデオファイルにおいて画像が変化したか否かを検出するステップと、
前記ビデオファイルにおいて画像が変化したことを検出した場合、当該ビデオファイルを接続されたローカルルータにバックアップするステップと、を備えてもよい。
【０００９】
また、前記録画したビデオファイルにおいて画像が変化したか否かを検出するステップは、
前記ビデオファイルに対して動的検出を行うステップと、
前記ビデオファイルにおいて動的目標が存在していることを検出した場合、前記ビデオファイルにおいて画像が変化したと確定するステップと、を備えてもよい。
【００１０】
また、前記録画したビデオファイルにおいて画像が変化したか否かを検出するステップは、
前記ビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えてもよい。
【００１１】
また、前記ビデオファイルにおいて変化したビデオフレームを前記ビデオファイルの表紙に設定するステップをさらに備えてもよい。
【００１２】
また、前記接続はＷｉ−Ｆｉ接続であってもよい。
【００１３】
また、本発明の第２の方面は、
接続された撮像設備が録画したビデオファイルを取得するステップと、
取得したビデオファイルをローカルにバックアップするステップと、を備える、ビデオのバックアップ方法を提供する。
【００１４】
また、前記接続された撮像設備が録画したビデオファイルを取得する前に、
携帯端末の設定指令を受信するステップと、
受信した設定指令に基づき記憶パラメータを設定するステップと、を備え、
前記設定指令は、記憶品質を設定する指令、記憶空間の大きさを設定する指令、及び記憶時間の長さを設定する指令の中の少なくとも１つを備えてもよい。
【００１５】
また、前記取得したビデオファイルをローカルにバックアップするステップは、
取得したビデオファイルにおいて画像が変化したか否かを検出するステップと、
前記ビデオファイルにおいて画像が変化したことを検出した場合、取得したビデオファイルをローカルにバックアップするステップと、を備えてもよい。
【００１６】
また、前記取得したビデオファイルにおいて画像が変化したか否かを検出するステップは、
取得したビデオファイルに対して動的検出を行うステップと、
前記ビデオファイルにおいて動的目標が存在していることを検出した場合、当該ビデオファイルにおいて画像が変化したと確定するステップと、を備えてもよい。
【００１７】
また、前記取得したビデオファイルにおいて画像が変化したか否かを検出するステップは、
取得したビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えてもよい。
【００１８】
また、本発明の第３の方面は、
ビデオファイルを録画する録画モジュールと、
録画したビデオファイルを接続されたローカルルータにバックアップする第１のバックアップモジュールと、を備える、ビデオのバックアップ装置を提供する。
【００１９】
また、ビデオファイルを録画する前に、携帯端末の設定指令を受信する第１の受信モジュールと、
受信した設定指令に基づき録画パラメータを設定する第１の設定モジュールと、をさらに備え、
前記設定指令は、録画品質を設定する指令、ビデオファイルのグルーピングサイクルを設定する指令、及び各ビデオファイルの再生時間を設定する指令の中の少なくとも１つを備えてもよい。
【００２０】
また、前記録画モジュールは、
設定した前記録画品質及びビデオファイルの再生時間に基づき各ビデオファイルを録画する録画サブモジュールと、
各ビデオファイルの録画開始時間を当該ビデオファイルのファイル名に付けて、ローカルに保存する設定サブモジュールと、
前記ビデオファイルのグルーピングサイクル内に録画したビデオファイルを独立のビデオフォルダに分類する分類サブモジュールと、を備えてもよい。
【００２１】
また、前記第１のバックアップモジュールは、
録画したビデオファイルにおいて画像が変化したか否かを検出する第１の検出サブモジュールと、
前記ビデオファイルにおいて画像が変化したことを検出した場合、当該ビデオファイルを接続されたローカルルータにバックアップする第１のバックアップサブモジュールと、を備えてもよい。
【００２２】
また、前記第１の検出サブモジュールは、
前記ビデオファイルに対して動的検出を行う第１の動的検出サブモジュールと、
前記ビデオファイルにおいて動的目標が存在していることを検出した場合、前記ビデオファイルにおいて画像が変化したと確定する第１の確定サブモジュールと、を備えてもよい。
【００２３】
また、前記第１の検出サブモジュールは、
前記ビデオファイルに対してビデオフレーム検出を行う第１のフレーム検出サブモジュールと、
当該ビデオファイルにおいてビデオフレームの画像変化面積が閾値よりも大きいことを検出した場合、当該ビデオファイルにおいて画像が変化したと確定する第２の確定サブモジュールと、を備えてもよい。
【００２４】
また、前記ビデオファイルにおいて変化したビデオフレームを前記ビデオファイルの表紙に設定する表紙設定モジュールをさらに備えてもよい。
【００２５】
また、前記接続はＷｉ−Ｆｉ接続であってもよい。
【００２６】
また、本発明の第３の方面は、
接続された撮像設備から録画したビデオファイルを取得する取得モジュールと、
取得したビデオファイルをローカルにバックアップする第２のバックアップモジュールと、を備える、ビデオのバックアップ装置を提供する。
【００２７】
また、接続された撮像設備から録画したビデオファイルを取得する前に、携帯端末の設定指令を受信する第２の受信モジュールと、
受信した設定指令に基づき記憶パラメータを設定する第２の設定モジュールと、を備え、
前記設定指令は、記憶品質を設定する指令、記憶空間の大きさを設定する指令、及び記憶時間の長さを設定する指令の中の少なくとも1つを備えてもよい。
【００２８】
また、前記第２のバックアップモジュールは、
取得したビデオファイルにおいて画像が変化したか否かを検出する第２の検出サブモジュールと、
前記ビデオファイルにおいて画像が変化したことを検出した場合、取得したビデオファイルをローカルにバックアップする第２のバックアップサブモジュールと、を備えてもよい。
【００２９】
また、前記第２の検出サブモジュールは、
取得したビデオファイルに対して動的検出を行う第２の動的検出サブモジュールと、
前記ビデオファイルにおいて動的目標が存在していることを検出した場合、当該ビデオファイルにおいて画像が変化したと確定する第３の確定サブモジュールと、を備えてもよい。
【００３０】
また、前記第２の検出サブモジュールは、
取得したビデオファイルに対してビデオフレーム検出を行う第２のフレーム検出サブモジュールと、
当該ビデオファイルにおいてビデオフレームの画像変化面積が閾値よりも大きいことを検出した場合、当該ビデオファイルにおいて画像が変化したと確定する第４の確定サブモジュールと、を備えてもよい。
【００３１】
また、本発明の第４の方面は、
プロセッサーと、
プロセッサーが実行可能な指令を記憶するメモリと、を備え、
前記プロセッサーは、
ビデオファイルを録画し、
録画したビデオファイルを接続されたローカルルータにバックアップするように配置される、ビデオのバックアップ装置を提供する。
【００３２】
また、本発明の第５の方面は、ビデオのバックアップ装置を提供する。当該装置は、
プロセッサーと、
プロセッサーが実行可能な指令を記憶するメモリとを備え、
前記プロセッサーは、
接続された撮像設備から録画したビデオファイルを取得し、
取得したビデオファイルをローカルにバックアップするように配置される。
【発明の効果】
【００３３】
本発明の実施例に係る技術案によれば、下記の作用効果が得られる。
【００３４】
上記本発明では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高上される。
【００３５】
また、上記本発明では、携帯端末の設定指令を受信することで録画パラメータを設定することにより、ユーザは携帯端末を介して撮像設備を遠隔操作することができる。
【００３６】
また、上記本発明では、ビデオファイルを録画する時、録画開始時間でビデオファイルを命名し、設定されたビデオファイルのグルーピングサイクル内に録画したビデオファイルをローカルの記憶空間に保存し、独立のビデオフォルダに分類することにより、録画したビデオファイルをサーチすることが便利になる。
【００３７】
また、上記本発明では、録画したビデオファイルを接続されたローカルルータにバックアップする前に、録画したビデオファイルにおいて画像が変化したか否かを検出し、画像が変化したビデオファイルのみをバックアップすることにより、実質的な内容がないビデオファイルをバックアップすることが避けられ、記憶空間が節約される。
【００３８】
また、上記本発明では、前記ビデオファイルにおいて変化したビデオフレームを前記ビデオファイルの表紙に設定することにより、ユーザはビデオファイルをさらに直観的にサーチすることができる。
【００３９】
なお、上述した概略的な記載及び後続の詳しい記載は例示的であり説明的なものに過ぎず、本発明を限定するものではない。
【００４０】
そして、下記の図面は、明細書に含まれてその一部になり、本発明に合致する実施例を示し、明細書とともに本発明の原理を解釈する。
【図面の簡単な説明】
【００４１】
【図１】例示的な実施例に係るビデオのバックアップ方法を示すフローチャートである。
【図２】例示的な実施例に係る他のビデオのバックアップ方法を示すフローチャートである。
【図３】例示的な実施例に係る他のビデオのバックアップ方法を示すフローチャートである。
【図４】例示的な実施例に係るビデオファイルのグルーピングサイクルによりビデオファイルを分類する概略図である。
【図５】例示的な実施例に係るビデオファイルを分類したビデオフォルダの概略図である。
【図６】例示的な実施例に係るローカルルータに対して記憶パラメータを設定する概略図である。
【図７】例示的な実施例に係る撮像設備がビデオファイルに対して動的検出を行う概略図である。
【図８】例示的な実施例に係る撮像設備がビデオファイルに対してフレーム検出を行う概略図である。
【図９】例示的な実施例に係るビデオファイルにおいて変化したビデオフレームをビデオファイルの表紙に設定する概略図である。
【図１０】例示的な実施例に係るビデオのバックアップ装置を示す概略ブロック図である。
【図１１】例示的な実施例に係る他のビデオのバックアップ装置を示す概略ブロック図である。
【図１２】例示的な実施例に係る他のビデオのバックアップ装置を示す概略ブロック図である。
【図１３】例示的な実施例に係る他のビデオのバックアップ装置を示す概略ブロック図である。
【図１４】例示的な実施例に係る他のビデオのバックアップ装置を示す概略ブロック図である。
【図１５】例示的な実施例に係る他のビデオのバックアップ装置を示す概略ブロック図である。
【図１６】例示的な実施例に係る他のビデオのバックアップ装置を示す概略ブロック図である。
【図１７】例示的な実施例に係る他のビデオのバックアップ装置を示す概略ブロック図である。
【図１８】例示的な実施例に係る他のビデオのバックアップ装置を示す概略ブロック図である。
【図１９】例示的な実施例に係る他のビデオのバックアップ装置を示す概略ブロック図である。
【図２０】例示的な実施例に係る他のビデオのバックアップ装置を示す概略ブロック図である。
【図２１】例示的な実施例に係る他のビデオのバックアップ装置を示す概略ブロック図である。
【図２２】例示的な実施例に係るビデオのバックアップ装置のための構造を示す概略ブロック図である。
【図２３】例示的な実施例に係る他のビデオのバックアップ装置のための構造を示す概略ブロック図である。
【発明を実施するための形態】
【００４２】
以下、例示的な実施例を詳しく説明し、その例示を図面に示している。下記の記載において、図面に関わる場合は、特に言明する場合以外に、異なる図面における同じ数字が同じ又は類似する要素を示す。下記の例示的な実施例に記載の実施形態は、本発明と一致する全ての実施形態を代表するというわけではない。逆に、それらは、特許請求の範囲に記載の本発明のある方面に一致する装置及び方法の例に過ぎない。
【００４３】
本発明に用いる用語は、特定の実施例を説明するものに過ぎず、本発明を限定するものではない。本発明及び特許請求の範囲に記載の単数形式の「１種類」、「前記」及び「当該」は、前後の文章においてそれぞれ他の意味を含有すると明確に記載される以外には、複数の形式も含んでいる。ここで、本発明に記載の「及び／又は」は、挙げられる事項の1つ又は複数の何れ又は全ての組み合わせを意味する。
【００４４】
本発明は、第１の、第２の、第３の等の用語により各種の情報を説明しているが、それらの情報は上記用語に限られない。これらの用語は、同じ種類の情報同士を区分するためのものに過ぎない。例えば、本発明の範囲から逸脱しない場合、第１の情報を第２の情報と称しても良い。同じように、第２の情報を第１の情報と称してもよい。用語「……場合」は、上下文により、「……時」或は「……と」又は「確定に応じる」に解釈されてもよい。
【００４５】
図１に示すように、図１は、例示的な実施例に係るビデオのバックアップ方法を示す。当該ビデオのバックアップ方法は、撮像設備に用いられ、下記のステップを備える。
【００４６】
ステップ１０１、ビデオファイルを録画する。
【００４７】
本実施例では、撮像設備は、ビデオファイルを録画する前に、携帯端末の設定指令を受信することで録画パラメータを設定することができる。前記設定指令は、録画品質を設定する指令、ビデオファイルグルーピングサイクルを設定する指令、及び各ビデオファイルの再生時間を設定する指令の中の少なくとも１つを備えてもよい。
【００４８】
録画パラメータを設定した後、撮像設備は、設定された前記録画品質及びビデオファイルの再生時間に基づき各ビデオファイルを録画し、各ビデオファイルの録画開始時間を当該ビデオファイルのファイル名に付けて、ローカル記憶空間に記憶してもよい。ここで、前記録画品質は、高精細度又は標準品質を選択することができる。同時に、前記ビデオファイルのグルーピングサイクルに基づき、録画したビデオファイルをグルーピングし、前記ビデオファイルのグルーピングサイクル内に録画したビデオファイルを独立のビデオフォルダに分類してもよい。例えば、各ビデオファイルの再生時間が１分間であり、前記ビデオファイルのグルーピングサイクルが１時間であるとすると、撮像設備は、１時間を周期として、１時間毎に録画したビデオファイルを１つの独立のビデオフォルダに分類することができる。
【００４９】
また、ユーザが分類したビデオファイルに対して便利にサーチを行うことができるように、撮像設備は、ビデオフォルダを、このフォルダ内に分類されたビデオファイルの発生期間で命名してもよい。例えば、あるビデオフォルダ内に分類されたのは８月１６日２１時という時間内に録画したビデオであると、当該ビデオフォルダを８月１６日２１時で命名することができる。
【００５０】
ステップ１０２、録画したビデオファイルを接続されたローカルルータにバックアップする。
【００５１】
本実施例では、録画したビデオファイルをバックアップする場合、録画が完了した後、ローカルルータに自動的にバックアップしてもよいし、ユーザにより手動的にバックアップしてもよい。前記接続はＷｉ−Ｆｉ等の無線接続であってもよいし、有線接続であってもよい。
【００５２】
本実施例では、録画したビデオファイルを接続されたローカルルータにバックアップする前に、録画したビデオファイルにおいて画像が変化したか否かを検出し、変化したビデオファイルのみをバックアップしてもよい。これにより、実質的な内容がないビデオファイルをバックアップすることが避けられ、記憶空間が節約される。当然ながら、録画したビデオファイルにおいて画像が変化したか否かを検出することは、ローカルルータにおいて行ってもよい。
【００５３】
ビデオファイルにおいて画像が変化したか否かを検出することは、当該ビデオファイルに対して動的検出を行って、当該ビデオファイルに動的目標が存在しているか否かを確定することにより実現されてもよい。動的目標が存在していると、当該ビデオファイルにおいて画像が変化したと確定する。また、当該ビデオファイルに対してビデオフレーム検出を行って、当該ビデオファイルにおいてビデオフレームの画像変化面積が閾値よりも大きいか否かを比較することにより実現されてもよい。当該ビデオファイルにおいてビデオフレームの画像変化面積が閾値よりも大きいと検出されると、当該ビデオファイルにおいて画像が変化したと確定する。ここで、閾値の大きさについて、本発明は特に限定しない。
【００５４】
上記実施例では、録画したビデオファイルを接続されたローカルルータにバックアップすることにより、一層大きい記憶空間が提供され、素早くサーチするか、プレビューすることが便利になり、記憶されたビデオファイルのセキュリティがさらに高くなる。
【００５５】
図２に示すように、図２は、例示的な実施例に係るビデオのバックアップ方法を示す。当該ビデオのバックアップ方法は、ローカルルータに用いられ、下記のステップを備える。
【００５６】
ステップ２０１、接続された撮像設備が録画したビデオファイルを取得する。
【００５７】
本実施例において、ローカルルータが接続された撮像設備により録画したビデオファイルを取得することは、ローカルルータにより周期毎に自発的に取得してもよいし、撮像設備が自発的にアップロードしてもよい。前記接続は、Ｗｉ−Ｆｉ等の無線接続であってもよいし、有線接続であってもよい。
【００５８】
本実施例において、ローカルルータは、接続された撮像設備により録画したビデオファイルを取得する前に、携帯端末の設定指令を受信することで記憶パラメータを設定してもよい。前記設定指令は、記憶品質を設定する指令、記憶空間の大きさを設定する指令、及び記憶時間の長さを設定する指令の中の少なくとも１つを備えてもよい。ここで、前記記憶指令として、高精細度又は標準品質を指定することができる。前記記憶空間の大きさとは、ローカルルータのハードディスクにおける撮像設備に録画されるビデオファイルを記憶するための空間の大きさであり、ユーザより確定してもよい。例えば、ローカルルータのハードディスクの空間が１Ｔであるとすると、ユーザが携帯端末を介して設定指令を送信して記憶空間の大きさを８Ｇに設定することができ、即ち、１Ｔ空間中の８Ｇに、撮像設備に録画されるビデオファイルを記憶する。前記記憶時間の長さとは、撮像設備により録画されたビデオファイルをローカルルータに記憶可能な最大時間の長さである。例えば、前記記憶時間の長さを１日、1週間又は１ヶ月に設定してもよい。前記記憶時間の長さを１ヶ月に設定する場合、多くとも1ヶ月以内の撮像設備のビデオファイルをローカルルータにバックアップすることができる。
【００５９】
ステップ２０２、取得したビデオファイルをローカルでバックアップする。
【００６０】
本実施例では、取得したビデオファイルをローカルでバックアップする前に、取得したビデオファイルにおいて画像が変化したか否かを検出し、画像が変化したビデオファイルのみをバックアップしてもよい。これにより、実質的な内容がないビデオファイルをバックアップしてしまうことが避けられ、記憶空間が節約される。当然ながら、録画したビデオファイルにおいて画像が変化したか否かを検出することは、撮像設備で行ってもよい。
【００６１】
ビデオファイルにおいて画像が変化したか否かを検出することは、当該ビデオファイルに対して動的検出を行って、当該ビデオファイルに動的目標が存在しているか否かを確定することにより実現されてもよい。動的目標が存在していると、当該ビデオファイルにおいて画像が変化したと確定する。また、当該ビデオファイルに対してビデオフレーム検出を行って、当該ビデオファイルにおけるビデオフレームの画像変化面積が閾値よりも大きいか否かを比較することで実現されてもよい。当該ビデオファイルにおけるビデオフレームの画像変化面積が閾値よりも大きいことが検出されると、当該ビデオファイルにおいて画像が変化したと確定する。
【００６２】
上記実施例では、録画したビデオファイルを接続されたローカルルータにバックアップすることにより、一層大きい記憶空間を提供することができ、素早くサーチするか、プレビューすることが便利になり、記憶されるビデオファイルのセキュリティ性がさらに高くなる。
【００６３】
図３に示すように、図３は、例示的な実施例に係るビデオのバックアップ方法であり、下記のステップを備える。
【００６４】
ステップ３０１、撮像設備は、携帯端末の設定指令を受信し、受信した設定指令に基づき録画パラメータを設定する。
【００６５】
本実施例において、前記携帯端末は、撮像設備へ設定指令を送信する前に、撮像設備との接続を確立してもよい。例えば、携帯端末は、撮像設備と同一のＷｉ−Ｆｉ環境にあるとき、撮像設備にＷｉ−Ｆｉ接続してもよい。接続を確立したとき、ユーザは、携帯端末にプリインストールしたクライアントソフトウェアにより撮像設備の録画パラメータを設定し、そして、設定した録画パラメータを設定指令として撮像設備に送信してもよい。ここで、前記設定指令は、録画品質を設定する指令、ビデオファイルのグルーピングサイクルを設定する指令、及び各ビデオファイルの再生時間を設定する指令の中の少なくとも１つを備えてもよい。
【００６６】
ステップ３０２、撮像設備がビデオファイルを録画する。
【００６７】
本実施例では、録画パラメータを設定した後、撮像設備は、設定した前記録画品質及びビデオファイルの再生時間に基づきビデオファイルを録画し、録画した各ビデオファイルの録画開始時間を当該ビデオファイルのファイル名に付けて、ローカル記憶空間に記憶してもよい。ここで、前記録画品質として、高精細度又は標準品質を指定することができる。同時に、ビデオファイルのグルーピングサイクルに基づき録画したビデオファイルをグルーピングし、前記ビデオファイルのグルーピングサイクル内に録画したビデオファイルを独立のビデオフォルダに分類してもよい。ここで、ユーザが分類したビデオファイルを便利にサーチできるように、撮像設備は、ビデオフォルダを、当該フォルダに分類されたビデオファイルの発生時間で命名してもよい。
【００６８】
例えば、図４に示すように、設定された前記各ビデオファイルの再生時間が１分間であり、前記ビデオファイルのグルーピングサイクルが１時間であるとすると、撮像設備は、１時間を周期として一時間毎に録画したビデオファイルを１つの独立のビデオフォルダに分類してもよい。図４に示すように、撮像設備が２０１４年７月２２日２１時から２０１４年７月２３日３時までの期間内に録画したビデオを、一時間を周期として独立のビデオフォルダにそれぞれ分類し、そして、各ビデオフォルダを、当該フォルダに分類されたビデオファイルの録画時間帯でそれぞれ命名してもよい。図５に示すように、図５は、図４の名称が「２０１４年０７月２２日２１時」であるビデオフォルダの開いた状態を示す概略図である。図５に示すように、図５に示すビデオファイルは、撮像設備が２０１４年０７月２２日２１時という一時間帯に録画したビデオファイルであり、各ビデオファイルの名称は、当該ビデオファイルの録画開始時刻である。例えば、図５において、名称が「０７分００秒」であるビデオファイルは、２０１４年０７月２２日２１時０７分００秒という時刻から１分間録画したビデオファイルである。
【００６９】
ステップ３０３では、ローカルルータは、携帯端末の設定指令を受信し、受信した設定指令に基づき記憶パラメータを設定し、かつ接続された撮像設備が録画したビデオファイルを取得する。
【００７０】
本実施例において、前記携帯端末は、撮像設備へ設定指令を送信する前に、撮像設備との接続を確立しても良い。例えば、携帯端末は、ローカルルータと同一のＷｉ−Ｆｉ環境にある時、当該ローカルルータにＷｉ−Ｆｉ接続してもよい。接続を確立した後、ユーザは、携帯端末にプリインストールしたクライアントソフトウェアにより、ローカルルータの記憶パラメータを設定し、そして、設定された記憶パラメータを設定指令としてローカルルータに送信してもよい。ここで、前記設定指令は、記憶品質を設定する指令、記憶空間の大きさを設定する指令、及び記憶時間の長さを設定する指令の中の少なくとも１つを備えてもよい。ここで、記憶品質は高精細度又は標準品質であってもよい。前記記憶時間の長さとは、ローカルルータの撮像設備に録画されたビデオファイルを記憶可能な最大時間の長さである。前記記憶空間の大きさとは、ローカルルータのハードディスク中の撮像設備に録画されたビデオファイルを記憶するための空間の大きさである。
【００７１】
例えば、図６に示すように、ユーザは、携帯端末にプリインストールされたクライアントソフトウェアを介して、ローカルルータに対して記憶指令として高精細度ビデオ又は標準品質ビデオを設定し、前記記憶時間の長さを１日、1週間又は1ヶ月に設定しても良い。ローカルルータのハードディスクの空間が１Ｔであるとすると、記憶空間の大きさを８Ｇに設定してもよい。即ち、１Ｔ中の８Ｇの空間に撮像設備が録画したビデオファイルを記憶する。
【００７２】
本実施例では、記憶パラメータを設定した後、ローカルルータは、撮像設備がローカルで録画したビデオファイルをバックアップすることができる。ここで、ローカルルータは、撮像設備がローカルで録画したビデオファイルをバックアップするとき、録画したビデオファイルを撮像設備から周期毎に自発的に取得してバックアップしてもよいし、撮像設備によりアップロードされるビデオファイルを受信してバックアップしてもよい。撮像設備は、録画したビデオファイルをアップロードするとき、録画完了後、ローカルルータに自動的にアップロードしてもよいし、ユーザにアップロード選択肢を提供してユーザにより手動的にアップロードしてもよい。
【００７３】
ここで、撮像設備は、録画したビデオファイルをローカルルータにアップロードする前に、録画したビデオファイルにおいて画像が変化したか否かを検出し、変化したビデオファイルのみをバックアップしてもよい。これにより、実質的な内容がないビデオファイルをバックアップしてしまうことが避けられ、記憶空間が節約される。
【００７４】
撮像設備は、前記ビデオファイルにおいて画像が変化したか否かを検出することは、当該ビデオファイルに対して動的検出を行って、当該ビデオファイルに動的目標が存在しているか否かを確定することにより実現されてもよいし、当該ビデオファイルに対してビデオフレーム検出を行って、当該ビデオファイルにおいてビデオフレームの画像変化面積が閾値よりも大きいか否かを比較することにより実現されてもよい。
【００７５】
例えば、図７に示すように、撮像設備は、ビデオファイルに対して動的検出するとき、当該ビデオファイルに動的目標が存在していることを検出したか否かを判定し、動的目標、例えば、移動中の車両が検出されると、当該ビデオファイルにおいて画像が変化したと確定する。逆に、動的目標が検出されないと、当該ビデオファイルにユーザが興味を持った内容が存在しない可能性が高い。例えば、監視ビデオ分野での応用において、カメラが撮ったビデオファイルに動的目標が存在しないと、当該ビデオファイルを再生する必要がなく、動的目標が存在しないビデオファイルをバックアップする必要が全くない。
【００７６】
図８に示すように、撮像設備は、ビデオファイルに対してビデオフレーム検出を行う時、当該ビデオファイルにおけるビデオフレームの画像変化面積が閾値よりも大きいか否かを判定してもよい。閾値よりも大きい場合、当該ビデオファイルにおいて画像が変化したと確定する。逆に、当該ビデオファイルにおいてビデオフレームの画像変化面積が閾値以下である場合、当該ビデオファイルにおいて画像が変化していないと認定し、当該ビデオファイルをバックアップしない。ここで、前記閾値について、本発明は特に限定しない。
【００７７】
例えば、前記ビデオファイルから２つのフレーム画像を抽出し、そして、この２つのフレーム画像の画素を比較し、画像において異なる画素の数が占める面積が閾値よりも大きい場合、当該ビデオファイルが変化したと認定する。図８に示すように、ビデオフレーム１には走行中の一車両の一角が露出され、ビデオフレーム２には２台の走行中の車両が完全に露出されるため、ビデオフレーム１とビデオフレーム２との画素を比較する時、例えば、図８に示す領域１、領域２及び領域３は、画像が変化した領域であると認定しても良い。よって、領域１、領域２及び領域３の総面積が閾値よりも大きい場合、当該ビデオファイルが変化したと認定する。
【００７８】
ここで、抽出された２つのフレーム画像は、ビデオファイル中の開始フレーム及び終了フレームであってもよいし、当該ビデオファイルにおける全てのビデオフレームからランダムに抽出した２つのフレーム画像であってもよい。当然ながら、当該ビデオファイルにおけるビデオフレームの画像変化面積が閾値よりも大きいか否かを判定する時、ビデオフレームを抽出して比較しなく、当該ビデオファイルにおける全てのビデオフレームを連続に比較してもよい。当該ビデオファイルにおける開始フレーム以外のフレームの、その前のフレームに比べて異なる画像の数が画像において占める面積は閾値を超える場合、当該ビデオファイルが変化したと認定する。
【００７９】
ステップ３０４、ローカルルータは、取得したビデオファイルをローカルでバックアップする。
【００８０】
本実施例おいて、ローカルルータは取得したビデオファイルをローカルでバックアップする前に、取得したビデオファイルにおいて画像が変化したか否かを検出し、変化したビデオファイルのみをバックアップしてもよい。これにより、実質的な内容がないビデオファイルをバックアップしてしまうことが避けられ、記憶空間が節約される。ここで、ローカルルータは、前記ビデオファイルにおいて画像が変化したか否かを検出することは、当該ビデオファイルに対して動的検出して、当該ビデオファイルに動的目標が存在しているか否かを確定することにより実現されてもよいし、当該ビデオファイルに対してビデオフレーム検出を行って、当該ビデオファイルにビデオフレームの画像変化面積が閾値よりも大きいか否かを比較することにより実現されてもよい。具体的な過程は、上記説明と同じであるため、ここで贅言しない。
【００８１】
当然ながら、撮像設備は、ローカルで録画したビデオファイルをローカルルータにアップロードする前に、ローカルで録画したビデオファイルに対して、ビデオファイルにおいて画像が変化したか否かを検出する操作を実行し、画像が変化したビデオファイルのみをローカルルータにアップロードしたとすると、ローカルルータは、取得したビデオファイルに対して、ビデオファイルにおいて画像が変化したか否かの検出を、ローカルで行わない。
【００８２】
上述した実施例では、撮像設備が録画したビデオファイルを、前記撮像設備に接続されたローカルルータにバックアップすることにより、ビデオファイルのバックアップに一層大きい記憶空間を提供することができ、バックアップしたビデオファイルをサーチするか、プレビューするとき、ローカルルータにて直接に行うことができ、さらに便利で素早くなり、かつセキュリティ性も一層高くなる。
【００８３】
また、撮像設備がビデオファイルを録画するとき、録画開始時間でビデオファイルを命名し、設定したビデオファイルのグルーピングサイクルに基づきローカルに記憶されるビデオファイルをグルーピングし、独立のビデオフォルダに分類することにより、ユーザが録画したビデオファイルに対するサーチが便利になる。
【００８４】
また、撮像設備が録画したビデオファイルをバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【００８５】
他の実施例では、上述した図１又は図３に示す実施例を併せて、撮像設備は、ビデオファイルにおいて変化したビデオフレームを前記ビデオファイルの表紙に設定してもよい。これにより、ユーザがバックアップしたビデオファイルに対してサーチする時、前記表紙により当該ビデオファイルの内容を初歩的に獲得でき、サーチが一層直観になる。
【００８６】
例えば、図９に示すように、バックアップしたビデオファイルの表紙に、当該ビデオファイルにおいて変化したビデオフレームを設定することにより、当該ビデオファイルを開かなくても当該ビデオファイルにおいて変化したビデオフレームを直観に表示することができる。
【００８７】
本発明は、前述したビデオのバックアップ方法の実施例に対応して、ビデオのバックアップ装置の実施例も提供する。
【００８８】
図１０は、例示的な実施例に係るビデオのバックアップ装置を示す概略ブロック図である。
【００８９】
図１０に示すように、例示的な実施例に係るビデオのバックアップ装置１０００は、撮像設備に用いられ、録画モジュール１００１及び第１のバックアップモジュール１００２を備え、
前記録画モジュール１００１は、ビデオファイルを録画するように配置され、
前記第１のバックアップモジュール１００２は、録画したビデオファイルを接続されたローカルルータにバックアップするように配置される。
【００９０】
上述した実施例では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高くなる。
【００９１】
図１１に示すように、図１１は、本発明の例示的な実施例に係る他のビデオのバックアップ装置を示すブロック図である。当該実施例では、前述した図１０に示す実施例に基づき、前記装置１０００は、第１の受信モジュール１００３及び第１の設定モジュール１００４をさらに備え、
前記第１の受信モジュール１００３は、ビデオファイルを録画する前に、携帯端末の設定指令を受信するように配置され、
前記第１の設定モジュール１００４は、接收した設定指令に基づき録画パラメータを設定するように配置され、
ここで、前記設定指令は、録画品質を設定する指令、ビデオファイルのグルーピングサイクルを設定する指令、及び各ビデオファイルの再生時間を設定する指令の中の少なくとも１つを備えてもよい。
【００９２】
上述実施例では、携帯端末の設定指令を受信することで録画パラメータを設定し、これにより、ユーザが携帯端末を介して撮像設備を遠隔操作することができる。
【００９３】
図１２に示すように、図１２は、本発明の例示的な実施例に係る他のビデオのバックアップ装置を示すブロック図である。当該実施例では、前述した図１０に示す実施例に基づき、前記録画モジュール１００１は、録画サブモジュール１００１Ａ、設定サブモジュール１００１Ｂ及び分類サブモジュール１００１Ｃを備え、
前記録画サブモジュール１００１Ａは、設定した前記録画品質及びビデオファイルの再生時間に基づき各ビデオファイルを録画するように配置され、
前記設定サブモジュール１００１Ｂは、各ビデオファイルの録画開始時間を当該ビデオファイルのファイル名に付けてローカルに保存するように配置され、
前記分類サブモジュール１００１Ｃは、前記ビデオファイルのグルーピングサイクル内に録画したビデオファイルを独立のビデオフォルダに分類するように配置されてもよい。
【００９４】
なお、上述した図１２に示す装置実施例における録画サブモジュール１００１Ａ、設定サブモジュール１００１Ｂ及び分類サブモジュール１００１Ｃは、前述した図１１に示す装置実施例に備えられてもよい。本発明はこれに対して限定しない。
【００９５】
上述した実施例では、ビデオファイルを録画する時、録画開始時間でビデオファイルを命名し、設定したビデオファイルのグルーピングサイクル内に録画したビデオファイルをローカルの記憶空間に保存して独立のビデオフォルダに分類することにより、ユーザが録画したビデオファイルをサーチすることが便利になる。
【００９６】
図１３に示すように、図１３は、本発明の例示的な実施例に係る他のビデオのバックアップ装置を示すブロック図である。当該実施例では、前述した図１０に示す実施例に基づき、前記第１のバックアップモジュール１００２は、第１の検出サブモジュール１００２Ａ及び第１のバックアップサブモジュール１００２Ｂを備え、
前記第１の検出サブモジュール１００２Ａは、録画したビデオファイルにおいて画像が変化したか否かを検出するように配置され、
前記第１のバックアップサブモジュール１００２Ｂは、前記ビデオファイルにおいて画像が変化したことを検出したとき、当該ビデオファイルを接続されたローカルルータにバックラップするように配置されてもよい。
【００９７】
なお、上述した図１３に示す装置実施例における第１の検出サブモジュール１００２Ａ及び第１のバックアップサブモジュール１００２Ｂは、前述した図１１〜１２に示す装置実施例に備えられてもよい。本発明はこれに対して限定しない。
【００９８】
上述した実施例では、録画したビデオファイルを接続されたローカルルータにバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【００９９】
図１４に示すように、図１４は、本発明の例示的な実施例に係る他のビデオのバックアップ装置を示すブロック図である。当該実施例では、前述した図１３に示す実施例に基づき、前記第１の検出サブモジュール１００２Ａは、第１の動的検出サブモジュール１００２Ａ１及び第１の確定サブモジュール１００２Ａ２をさらに備え、
前記第１の動的検出サブモジュール１００２Ａ１は、前記ビデオファイルに対して動的検出を行うように配置され、
前記第１の確定サブモジュールは、前記ビデオファイルに動的目標が存在していることを検出した場合、前記ビデオファイルに画像が変化したと確定するように配置されてもよい。
【０１００】
なお、上述した図１４に示す装置実施例における第１の動的検出サブモジュール１００２Ａ１及び第１の確定サブモジュール１００２Ａ２は、前述した図１１〜１３に示す装置実施例に備えられてもよい。本発明はこれに対して限定しない。
【０１０１】
図１５に示すように、図１５は、本発明の例示的な実施例に係る他のビデオのバックアップ装置を示すブロック図である。当該実施例では、前述した図１３に示す実施例に基づき、前記第１の検出サブモジュール１００２Ａは、第１のフレーム検出サブモジュール１００２Ａ３及び第２の確定サブモジュール１００２Ａ４をさらに備え、
前記第１のフレーム検出サブモジュール１００２Ａ３は、前記ビデオファイルに対してビデオフレーム検出を行うように配置され、
前記第２の確定サブモジュール１００２Ａ４は、当該ビデオファイルにおいてビデオフレームの画像変化面積が閾値よりも大きいことを検出した場合、当該ビデオファイルにおいて画像が変化したと確定するように配置されてもよい。
【０１０２】
ここで、上述した図１５に示す装置実施例における第１のフレーム検出サブモジュール１００２Ａ３及び第２の確定サブモジュール１００２Ａ４は、前述した図１１〜１４に示す装置実施例に備えられてもよい。本発明は、これに対して限定しない。
【０１０３】
図１６に示すように、図１６は、本発明の例示的な実施例に係る他のビデオのバックアップ装置を示すブロック図である。当該実施例では、前述した図１１に示す実施例に基づき、前記装置１０００は、表紙設定モジュール１００５をさらに備え、
前記表紙設定モジュール１００５は、前記ビデオファイルにおいて変化したビデオフレームを前記ビデオファイルの表紙に設定するように配置されてもよい。
【０１０４】
なお、上述した図１６に示す装置実施例における第２の設定モジュール１００５は、前述した図１１〜１５に示す装置実施例に備えられてもよい。本発明はこれに対して限定しない。
【０１０５】
上述した実施例では、前記ビデオファイルにおいて変化したビデオフレームを前記ビデオファイルの表紙に設定することにより、ユーザがビデオファイルをさらに直感的にサーチすることが便利になる。
【０１０６】
図１７は、例示的な実施例に係るビデオのバックアップ装置を示す概略ブロック図である。
【０１０７】
図１７に示すように、例示的な実施例に係るビデオのバックアップ装置１７００は、ローカルルータに用いられ、取得モジュール１７０１及び第２のバックアップモジュール１７０２を備え、
前記取得モジュール１７０１は、接続された撮像設備から録画したビデオファイルを取得するように配置され、
前記第２のバックアップモジュール１７０２は、取得したビデオファイルをローカルにバックアップするように配置される。
【０１０８】
上述した実施例では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高くなる。
【０１０９】
図１８に示すように、図１８は、本発明の例示的な実施例に係る他のビデオのバックアップ装置を示すブロック図である。当該実施例では、前述した図１７に示す実施例に基づき、前記装置１７００は、第２の受信モジュール１７０３及び第２の設定モジュール１７０４をさらに備え、
前記第２の受信モジュール１７０３は、接続された撮像設備から録画したビデオファイルを取得する前に、携帯端末の設定指令を受信するように配置され、
前記第２の設定モジュール１７０４は、受信した設定指令に基づき記憶パラメータを設定するように配置されてもよい。
【０１１０】
上述した実施例では、携帯端末の設定指令を受信することで録画パラメータを設定し、これにより、ユーザが携帯端末を介して撮像設備を遠隔操作することができる。
【０１１１】
図１９に示すように、図１９は、本発明の例示的な実施例に係る他のビデオのバックアップ装置を示すブロック図である。当該実施例では、前述した図１７に示す実施例に基づき、前記第２のバックアップモジュール１７０２は、第２の検出サブモジュール１７０２Ａ及び第２のバックアップサブモジュール１７０２Ｂをさらに備え、
前記第２の検出サブモジュール１７０２Ａは、取得したビデオファイルにおいて画像が変化したか否かを検出するように配置され、
前記第２のバックアップサブモジュール１７０２Ｂは、前記ビデオファイルにおいて画像が変化したことを検出した場合、取得したビデオファイルをローカルにバックアップするように配置されてもよい。
【０１１２】
なお、上述した図１９に示す装置実施例における第２の検出サブモジュール１７０２Ａ及び第２のバックアップサブモジュール１７０２Ｂは、前述した図１８に示す装置実施例に備えられてもよい。本発明はこれに対して限定しない。
【０１１３】
上述した実施例では、録画したビデオファイルを接続されたローカルルータにバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【０１１４】
図２０に示すように、図２０は、本発明の例示的な実施例に係る他のビデオのバックアップ装置を示すブロック図である。当該実施例は、前述した図１９に示す実施例に基づき、前記第２の検出サブモジュール１７０２Ａは、第２の動的検出サブモジュール１７０２Ａ１及び第３の確定サブモジュール１７０２Ａ２を備え、
前記第２の動的検出サブモジュール１７０２Ａ１は、取得したビデオファイルに対して動的検出を行うように配置され、
前記第３の確定サブモジュール１７０２Ａ２は、前記ビデオファイルにおいて動的目標が存在していることを検出した場合、当該ビデオファイルにおいて画像が変化したと確定するように配置されてもよい。
【０１１５】
なお、上述した図２０に示す装置実施例における第２の動的検出サブモジュール１７０２Ａ１及び第３の確定サブモジュール１７０２Ａ２は、前述した図１８〜１９に示す装置実施例に備えられてもよい。本発明はこれに対して限定しない。
【０１１６】
図２１に示すように、図２１は、本発明の例示的な実施例に係る他のビデオのバックアップ装置を示すブロック図である。当該実施例では、前述した図１９に示す実施例に基づき、前記第２の検出サブモジュール１７０２Ａは、第２のフレーム検出サブモジュール１７０２Ａ３及び第４の確定サブモジュール１７０２Ａ４を備え、
前記第２のフレーム検出サブモジュール１７０２Ａ３は、取得したビデオファイルに対してビデオフレーム検出を行うように配置され、
前記第４の確定サブモジュール１７０２Ａ４は、当該ビデオファイルにおいてビデオフレームの画像変化面積が閾値よりも大きいことを検出した場合、当該ビデオファイルにおいて画像が変化したと確定するように配置されてもよい。
【０１１７】
なお、上述した図２１に示す装置実施例における第２のフレーム検出サブモジュール１７０２Ａ３及び第４の確定サブモジュール１７０２Ａ４は、前述した図１８〜２０の装置実施例に備えられてもよい。本発明はこれに対して限定しない。
【０１１８】
上述した装置における各モジュールの機能及び作用の実現については、具体的に、上述した方法における対応するステップを参照でき、ここで、贅言しない。
【０１１９】
装置実施例は、基本的に方法実施例に対応するため、関連部分については、方法実施例の対応する部分を参照すればよい。上記装置実施例は例示的なものに過ぎない。上記独立の部材としてのモジュールは、物理的に独立するものであってもよいし、そうでないものであってもよく、モジュールとしての部材は、物理的なモジュールであってもよいし、そうでないものであってもよく、１つの位置にあってもよいし、複数のネットワークモジュールに分布していてもよい。本発明の技術案の目的を実現するために、必要に応じて上記モジュールの一部又は全部を選択することができる。これは、当業者が創造的労働をせずに理解して実施できることである。
【０１２０】
上記に対応するように、本発明は、ビデオのバックアップ装置をさらに提供する。前記装置は、メモリ、及び1つ又は１つ以上のプログラムを備え、１つ又は１つ以上のプログラムは、メモリに記憶され、さらに、１つ又は１つ以上のプロセッサーが配置され、１つ又は１つ以上のプロセッサーにより実行される１つ又は１つ以上のプログラムには、
ビデオファイルを録画する指令と、
録画したビデオファイルを接続されたローカルルータにバックアップする指令と、を有する。
【０１２１】
図２２は、例示的な実施例に係るファイルのバックアップ装置を示す構造概略図である。
【０１２２】
図２２に示すように、例示的な実施例に係るビデオのバックアップ装置２２００は、スマートカメラ、携帯電話、コンピュータ、デジタル放送端末、メッセージトランシーバ、ゲーム機、タブレットディバイス、医療施設、フィットネス機器、携帯情報端末等であってもよい。
【０１２３】
図２２に示すように、装置２２００は、処理ユニット２２０１、メモリ２２０２、電源ユニット２２０３、マルチメディアユニット２２０４、オーディユニット２２０５、入力／出力（Ｉ／Ｏ）のインターフェース２２０６、センサユニット２２０７、及び通信ユニット２２０８からなる群から選ばれる1つ又は複数を備えてもよい。
【０１２４】
処理ユニット２２０１は、一般的に装置２２００の統合操作、例えば、表示、通話、データ通信、カメラ操作及び記録操作に関連する操作を制御する。処理ユニット２２０１は、上述した方法におけるステップの一部又は全部を実現できるように、指令を実行する１つ又は複数のプロセッサー２２０９を備えてもよい。また、処理ユニット２２０１は、処理ユニット２２０１と他のユニットとの対話が便利になるように、１つ又は複数のモジュールを備えてもよい。例えば、処理ユニット２２０１は、マルチメディアユニット２２０４と処理ユニット２２０１との対話が便利になるように、マルチメディアモジュールを備えてもよい。
【０１２５】
メモリ２２０２は、装置２２００での操作をサポートできるように、各種のデータを記憶するように配置される。これらのデータは、例えば、装置２２００で操作するための何れのアプリケーションプログラム又は方法の指令、連絡先データ、電話帳データ、メッセージ、画像、ビデオ等を備える。メモリ２２０２は、何れの種類の揮発性又は不揮発性メモリ、或いはそれらの組み合わせ、例えば、静的随時読み出し書き込みメモリ（ＳＲＡＭ）、電気的に消去可能なプログラム可能読取り専用メモリ（ＥＥＰＲＯＭ）、消去可能なプログラム可能読取り専用メモリ（ＥＰＲＯＭ）、プログラム可能読取り専用メモリ（ＰＲＯＭ）、読取り専用メモリ（ＲＯＭ）、磁気メモリ、フラッシュメモリ、磁気ディスク又はコンパクトディスクにより実現することができる。
【０１２６】
電源ユニット２２０３は、装置２２００の各種のユニットに電力を供給する。電源ユニット２２０３は、電源管理システム、１つ又は複数の電源、及び装置２２００への電力生成、管理及び分配に関わる他のユニットを備えてもよい。
【０１２７】
マルチメディアユニット２２０４は、前記装置２２００とユーザとの間に出力インターフェースを提供するスクリーンを備える。ある実施例では、スクリーンは、液晶ディスプレイ（ＬＣＤ）及びタッチパネル（ＴＰ）を備えてもよい。スクリーンは、タッチパネルを備えると、ユーザからの入力信号を受信するために、タッチスクリーンとすることができる。タッチパネルは、タッチ、スライド又はタッチパネル上の手振りを感知するように１つ又は複数のタッチセンサを有する。前記タッチセンサは、タッチ又はスライド動作の境界を感知できるだけでなく、前記タッチ又はスライド操作に関わる持続時間及び圧力も感知できる。ある実施例では、マルチメディアユニット２２０４は、１つのフロントカメラ及び／又はバックカメラを有する。装置２２００が操作モード、例えば、撮影モード又はビデオモードにある時、フロントカメラ及び／又はバックカメラが外部のマルチメディアデータを受信できる。各フロントカメラ及びバックカメラは、固定の光学レンズ系であってもよいし、焦点距離及び光学ズーム能力を有するものであってもよい。
【０１２８】
オーディユニット２２０５は、オーディ信号を出力及び／又は入力するように配置される。例えば、オーディユニット２２０５は、１つのマイクロフォン（ＭＩＣ）を有し、装置２２００が操作モード、例えば、呼び出しモード、記録モード和オーディ認識モードにあるとき、マイクロフォンは、外部のオーディ信号を受信するように配置される。受信したオーディ信号は、メモリ２２０２に記憶されてもよいし、通信ユニット２２０８を介して送信されてもよい。ある実施例では、オーディユニット２２０５は、オーディ信号を出力するためのスピーカをさらに備えてもよい。
【０１２９】
Ｉ／Ｏインターフェース２２０２は、処理ユニット２２０１と外部のインターフェースモジュールとの間にインターフェースを提供する。上記外部のインターフェースモジュールは、キーボード、クリックホイール、ボタン等であってもよい。これらのボタンは、ホームボタン、音量ボタン、スタートボタン及びロックボタンを備えてもよいが、それらに限らない。
【０１３０】
センサユニット２２０７は、装置２２００の各方面の状態を評価するための１つ又は複数のセンサを備える。例えば、センサユニット２２０７は、装置２２００のオン／オフ状態、ユニットの相対的な位置を検出することができ、例えば、前記ユニットが装置２２００のディスプレイ及びキーパッドである。センサユニット２２０７は、装置２２００又は装置２２００の１つのユニットの位置変化、ユーザが装置２２００に接触しているか否か、装置２２００の方向又は加速／減速、及び装置２２００の温度変化を検出することができる。センサユニット２２０７は、何れの物理的な接触もない場合に付近の物体を検出するように配置される近接センサを有してもよい。センサユニット２２０７は、結像応用に用いるための光センサ、例えば、ＣＭＯＳ又はＣＣＤ画像センサを有してもよい。若干の実施例では、当該センサユニット２２０７は、加速度センサ、ジャイロスコープセンサ、磁気センサ、圧力センサ又は温度センサをさらに備えてもよい。
【０１３１】
通信ユニット２２０８は、装置２２００と他の設備との無線又は有線通信を便利にさせるように配置される。装置２２００は、通信標準に基づく無線ネットワーク、例えば、ＷｉＦｉ、２Ｇや３Ｇ、又はそれらの組み合わせにアクセスできる。１つの例示的な実施例では、通信ユニット２２０８は、放送チャンネルを介して外部の放送管理システムの放送信号又は放送に関する情報を受信する。１つの例示的な実施例では、前記通信ユニット２２０８は、近距離通信を促進するために近距離無線通信（ＮＦＣ）モジュールをさらに備える。例えば、ＮＦＣモジュールは、無線周波数認識装置（ＲＦＩＤ）技術、赤外線データ協会（ＩｒＤＡ）技術、超広帯域無線（ＵＷＢ）技術、ブルートゥース（ＢＴ）技術及び他の技術に実現されてもよい。
【０１３２】
例示的な実施例では、装置２２００は、上述した方法を実行するために、１つ又は複数の特定用途向け集積回路（ＡＳＩＣ）、デジタル信号プロセッサー（ＤＳＰ）、数字信号処理デバイス（ＤＳＰＤ）、プログラム可能論理デバイス（ＰＬＤ）、書替え可能ゲートアレイ（ＦＰＧＡ）、コントローラ、マイクロコントローラ、マイクロプロセッサー又は他の電子機器に実現されてもよい。
【０１３３】
例示的な実施例では、指令を有する非一時性のコンピュータ読み取り可能な記憶媒体、例えば、指令を有するメモリ２２０２をさらに提供する。前記指令は、上述した方法を実現するために、装置２２００のプロセッサー２２０９により実行されてもよい。例えば、前記非一時性コンピュータ読み取り可能な記憶媒体は、ＲＯＭ、読取り書込みメモリ（ＲＡＭ）、ＣＤ-ＲＯＭ、磁気テープ、ソフトディスク及び光データ記憶装置等であってもよい。
【０１３４】
非一時性コンピュータ読み取り可能な記憶媒体は、前記記憶媒体における指令が端末装置のプロセッサーにより実行される場合、
ビデオファイルを録画するステップと、
録画したビデオファイルを接続されたローカルルータにバックアップするステップと、を備えるセキュリティ制御方法を端末に実行させる。
【０１３５】
それに対応するように、本発明は、他のファイルのバックアップ装置をさらに提供する。前記装置は、メモリ、及び１つ又は1つ以上のプログラムを備え、１つ又は１つ以上のプログラムは、メモリに記憶され、１つ又は１つ以上のプロセッサーにより、前記１つ又は１つ以上のプログラムを実行することは、
接続する撮像設備が録画したビデオファイルを取得するための指令と、
取得したビデオファイルをローカルにバックアップするための指令と、を備える。
【０１３６】
図２３は、例示的な実施例に係るビデオのバックアップのための装置２３００を示すブロック図である。例えば、装置２３００は、ルータであってもよい。図２３に示すように、装置２３００は、処理ユニット２３２２を備え、さらに、１つ又は複数のプロセッサー、及び処理ユニット２３２２に実行可能な指令、例えば、アプリケーションプログラムを記憶するメモリ２３３２を代表とするメモリ資源をさらに備える。メモリ２３３２に記憶されるアプリケーションプログラムは、それぞれ１群の指令に対応する１つ又は1つ以上のモジュールを備えてもよい。また、処理ユニット２３２２は、上述したファイルのバックアップ方法を実行するために、指令を実行するように配置される。
【０１３７】
装置２３００は、装置２３００の電源管理を実行するように配置される１つの電源ユニット２３２６と、装置２３００をネットワークに接続するように配置される１つの有線又は無線ネットワークインターフェース２３５０と、１つの入力／出力（Ｉ/Ｏ）インターフェース２３５８とをさらに備えてもよい。装置２３００は、メモリ２３３２に記憶されるオペレーティングシステム、例えば、Ｗｉｎｄｏｗｓ ＳｅｒｖｅｒＴＭ、Ｍａｃ ＯＳ ＸＴＭ、ＵｎｉｘＴＭ, ＬｉｎｕｘＴＭ、ＦｒｅｅＢＳＤＴＭ又は類似するものを操作できる。
【０１３８】
当業者は、明細書を考慮してこの発明を実践した後、本発明の他の実施例を容易に想到し得る。本願は、本発明の任意変形、用途又は適応的な変化を含む。これらの変形、用途又は適当的な変化は、本発明の一般的な原理に従うものであり、本発明に開示されていない当分野の公知常識又は慣用の技術的手段を含む。明細書及び実施例は、例示的なものに過ぎない。本発明の本当の範囲及び精神は特許請求の範囲に基づく。
【０１３９】
なお、本発明は、上述の説明及び図面に示された精確な構造に限らず、その範囲から逸脱しない範囲で各種の補正及び変化を実施することができる。本発明の範囲は、特許請求の範囲のみに限定される。
【図１】
2016534666.tif 000003
【図２】
2016534666.tif 000004
【図３】
2016534666.tif 000005
【図１０】
2016534666.tif 000006
【図１１】
2016534666.tif 000007
【図１２】
2016534666.tif 000008
【図１３】
2016534666.tif 000009
【図１４】
2016534666.tif 000010
【図１５】
2016534666.tif 000011
【図１６】
2016534666.tif 000012
【図１７】
2016534666.tif 000013
【図１８】
2016534666.tif 000014
【図１９】
2016534666.tif 000015
【図２０】
2016534666.tif 000016
【図２１】
2016534666.tif 000017
【図２２】
2016534666.tif 000018
【図２３】
2016534666.tif 000019
【図４】
2016534666.tif 000020
【図５】
2016534666.tif 000021
【図６】
2016534666.tif 000022
【図７】
2016534666.tif 000023
【図８】
2016534666.tif 000024
【図９】
2016534666.tif 000025
【手続補正書】
【提出日】平成27年5月14日(2015.5.14)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０４０４８９１.７であって、出願日が２０１４年８月１５日である中国特許出願に基づき優先権を主張し、当該中国特許出願の内容の全てを本願に援用する。
【技術分野】
【０００２】
本発明は、記憶技術分野に関し、特にビデオのバックアップ方法、装置、プログラム及び記録媒体に関する。
【背景技術】
【０００３】
Ｗｉ−Ｆｉの普及につれて、Ｗｉ−Ｆｉ機能を搭載したスマートカメラが素早く発展し、そのため、録画したビデオをバックアップすることは、スマートカメラにとって重要な機能になっている。現在、大部分のスマートカメラは、バックアップ方法として、録画したビデオをクラウドにアップロードしてクラウドバックアップしている。しかしながら、クラウドバックアップには、セキュリティ性問題が存在するだけでなく、ユーザはネットワーク帯域の制限のため録画したビデオを素早くサーチするか、プレビューすることができない。
【発明の概要】
【０００４】
本発明は、かかる技術に存在する技術的課題を克服するために、ビデオのバックアップ方法、装置、プログラム及び記録媒体を提供する。
【０００５】
本発明の第１の方面は、
ビデオファイルを録画するステップと、
録画したビデオファイルを接続されたローカルルータにバックアップするステップと、を備える、ビデオのバックアップ方法を提供する。
【０００６】
また、前記ビデオファイルを録画するステップの前に、
携帯端末の設定指令を受信するステップと、
受信した設定指令により録画パラメータを設定するステップと、をさらに備え、
前記設定指令は、録画品質を設定する指令、ビデオファイルのグルーピングサイクルを設定する指令、及び各ビデオファイルの再生時間を設定する指令中の少なくとも１つを備えてもよい。
【０００７】
また、前記ビデオファイルを録画するステップは、
設定した前記録画品質及びビデオファイルの再生時間に基づき各ビデオファイルを録画するステップと、
各ビデオファイルの録画開始時間を該ビデオファイルのファイル名に付けて、ローカルに保存するステップと、
前記ビデオファイルのグルーピングサイクル内に録画したビデオファイルを独立のビデオフォルダに分類するステップと、を備えてもよい。
【０００８】
また、前記録画したビデオファイルを接続されたローカルルータにバックアップするステップは、
録画したビデオファイルにおいて画像が変化したか否かを検出するステップと、
前記ビデオファイルにおいて画像が変化したことを検出した場合、当該ビデオファイルを接続されたローカルルータにバックアップするステップと、を備えてもよい。
【０００９】
また、前記録画したビデオファイルにおいて画像が変化したか否かを検出するステップは、
前記ビデオファイルに対して動的検出を行うステップと、
前記ビデオファイルにおいて動的目標が存在していることを検出した場合、前記ビデオファイルにおいて画像が変化したと確定するステップと、を備えてもよい。
【００１０】
また、前記録画したビデオファイルにおいて画像が変化したか否かを検出するステップは、
前記ビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えてもよい。
【００１１】
また、前記ビデオファイルにおいて変化したビデオフレームを前記ビデオファイルの表紙に設定するステップをさらに備えてもよい。
【００１２】
また、前記接続はＷｉ−Ｆｉ接続であってもよい。
【００１３】
また、本発明の第２の方面は、
接続された撮像設備が録画したビデオファイルを取得するステップと、
取得したビデオファイルをローカルにバックアップするステップと、を備える、ビデオのバックアップ方法を提供する。
【００１４】
また、前記接続された撮像設備が録画したビデオファイルを取得する前に、
携帯端末の設定指令を受信するステップと、
受信した設定指令に基づき記憶パラメータを設定するステップと、を備え、
前記設定指令は、記憶品質を設定する指令、記憶空間の大きさを設定する指令、及び記憶時間の長さを設定する指令の中の少なくとも１つを備えてもよい。
【００１５】
また、前記取得したビデオファイルをローカルにバックアップするステップは、
取得したビデオファイルにおいて画像が変化したか否かを検出するステップと、
前記ビデオファイルにおいて画像が変化したことを検出した場合、取得したビデオファイルをローカルにバックアップするステップと、を備えてもよい。
【００１６】
また、前記取得したビデオファイルにおいて画像が変化したか否かを検出するステップは、
取得したビデオファイルに対して動的検出を行うステップと、
前記ビデオファイルにおいて動的目標が存在していることを検出した場合、当該ビデオファイルにおいて画像が変化したと確定するステップと、を備えてもよい。
【００１７】
また、前記取得したビデオファイルにおいて画像が変化したか否かを検出するステップは、
取得したビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えてもよい。
【００１８】
また、本発明の第３の方面は、
ビデオファイルを録画する録画モジュールと、
録画したビデオファイルを接続されたローカルルータにバックアップする第１のバックアップモジュールと、を備える、ビデオのバックアップ装置を提供する。
【００１９】
また、ビデオファイルを録画する前に、携帯端末の設定指令を受信する第１の受信モジュールと、
受信した設定指令に基づき録画パラメータを設定する第１の設定モジュールと、をさらに備え、
前記設定指令は、録画品質を設定する指令、ビデオファイルのグルーピングサイクルを設定する指令、及び各ビデオファイルの再生時間を設定する指令の中の少なくとも１つを備えてもよい。
【００２０】
また、前記録画モジュールは、
設定した前記録画品質及びビデオファイルの再生時間に基づき各ビデオファイルを録画する録画サブモジュールと、
各ビデオファイルの録画開始時間を当該ビデオファイルのファイル名に付けて、ローカルに保存する設定サブモジュールと、
前記ビデオファイルのグルーピングサイクル内に録画したビデオファイルを独立のビデオフォルダに分類する分類サブモジュールと、を備えてもよい。
【００２１】
また、前記第１のバックアップモジュールは、
録画したビデオファイルにおいて画像が変化したか否かを検出する第１の検出サブモジュールと、
前記ビデオファイルにおいて画像が変化したことを検出した場合、当該ビデオファイルを接続されたローカルルータにバックアップする第１のバックアップサブモジュールと、を備えてもよい。
【００２２】
また、前記第１の検出サブモジュールは、
前記ビデオファイルに対して動的検出を行う第１の動的検出サブモジュールと、
前記ビデオファイルにおいて動的目標が存在していることを検出した場合、前記ビデオファイルにおいて画像が変化したと確定する第１の確定サブモジュールと、を備えてもよい。
【００２３】
また、前記第１の検出サブモジュールは、
前記ビデオファイルに対してビデオフレーム検出を行う第１のフレーム検出サブモジュールと、
当該ビデオファイルにおいてビデオフレームの画像変化面積が閾値よりも大きいことを検出した場合、当該ビデオファイルにおいて画像が変化したと確定する第２の確定サブモジュールと、を備えてもよい。
【００２４】
また、前記ビデオファイルにおいて変化したビデオフレームを前記ビデオファイルの表紙に設定する表紙設定モジュールをさらに備えてもよい。
【００２５】
また、前記接続はＷｉ−Ｆｉ接続であってもよい。
【００２６】
また、本発明の第４の方面は、
接続された撮像設備から録画したビデオファイルを取得する取得モジュールと、
取得したビデオファイルをローカルにバックアップする第２のバックアップモジュールと、を備える、ビデオのバックアップ装置を提供する。
【００２７】
また、接続された撮像設備から録画したビデオファイルを取得する前に、携帯端末の設定指令を受信する第２の受信モジュールと、
受信した設定指令に基づき記憶パラメータを設定する第２の設定モジュールと、を備え、
前記設定指令は、記憶品質を設定する指令、記憶空間の大きさを設定する指令、及び記憶時間の長さを設定する指令の中の少なくとも1つを備えてもよい。
【００２８】
また、前記第２のバックアップモジュールは、
取得したビデオファイルにおいて画像が変化したか否かを検出する第２の検出サブモジュールと、
前記ビデオファイルにおいて画像が変化したことを検出した場合、取得したビデオファイルをローカルにバックアップする第２のバックアップサブモジュールと、を備えてもよい。
【００２９】
また、前記第２の検出サブモジュールは、
取得したビデオファイルに対して動的検出を行う第２の動的検出サブモジュールと、
前記ビデオファイルにおいて動的目標が存在していることを検出した場合、当該ビデオファイルにおいて画像が変化したと確定する第３の確定サブモジュールと、を備えてもよい。
【００３０】
また、前記第２の検出サブモジュールは、
取得したビデオファイルに対してビデオフレーム検出を行う第２のフレーム検出サブモジュールと、
当該ビデオファイルにおいてビデオフレームの画像変化面積が閾値よりも大きいことを検出した場合、当該ビデオファイルにおいて画像が変化したと確定する第４の確定サブモジュールと、を備えてもよい。
【００３１】
また、本発明の第５の方面は、
プロセッサーと、
プロセッサーが実行可能な指令を記憶するメモリと、を備え、
前記プロセッサーは、
ビデオファイルを録画し、
録画したビデオファイルを接続されたローカルルータにバックアップするように配置される、ビデオのバックアップ装置を提供する。
【００３２】
また、本発明の第６の方面は、ビデオのバックアップ装置を提供する。当該装置は、
プロセッサーと、
プロセッサーが実行可能な指令を記憶するメモリとを備え、
前記プロセッサーは、
接続された撮像設備から録画したビデオファイルを取得し、
取得したビデオファイルをローカルにバックアップするように配置される。
【００３３】
本発明の第７の方面は、プロセッサに実行されることにより、上記のビデオのバックアップ方法を実現するプログラムを提供する。
【００３４】
本発明の第８の方面は、上記プログラムが記録された記録媒体を提供する。
【発明の効果】
【００３５】
本発明の実施例に係る技術案によれば、下記の作用効果が得られる。
【００３６】
上記本発明では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高上される。
【００３７】
また、上記本発明では、携帯端末の設定指令を受信することで録画パラメータを設定することにより、ユーザは携帯端末を介して撮像設備を遠隔操作することができる。
【００３８】
また、上記本発明では、ビデオファイルを録画する時、録画開始時間でビデオファイルを命名し、設定されたビデオファイルのグルーピングサイクル内に録画したビデオファイルをローカルの記憶空間に保存し、独立のビデオフォルダに分類することにより、録画したビデオファイルをサーチすることが便利になる。
【００３９】
また、上記本発明では、録画したビデオファイルを接続されたローカルルータにバックアップする前に、録画したビデオファイルにおいて画像が変化したか否かを検出し、画像が変化したビデオファイルのみをバックアップすることにより、実質的な内容がないビデオファイルをバックアップすることが避けられ、記憶空間が節約される。
【００４０】
また、上記本発明では、前記ビデオファイルにおいて変化したビデオフレームを前記ビデオファイルの表紙に設定することにより、ユーザはビデオファイルをさらに直観的にサーチすることができる。
【００４１】
なお、上述した概略的な記載及び後続の詳しい記載は例示的であり説明的なものに過ぎず、本発明を限定するものではない。
【００４２】
そして、下記の図面は、明細書に含まれてその一部になり、本発明に合致する実施例を示し、明細書とともに本発明の原理を解釈する。
【図面の簡単な説明】
【００４３】
【図１】例示的な実施例に係るビデオのバックアップ方法を示すフローチャートである。
【図２】例示的な実施例に係る他のビデオのバックアップ方法を示すフローチャートである。
【図３】例示的な実施例に係る他のビデオのバックアップ方法を示すフローチャートである。
【図４】例示的な実施例に係るビデオファイルのグルーピングサイクルによりビデオファイルを分類する概略図である。
【図５】例示的な実施例に係るビデオファイルを分類したビデオフォルダの概略図である。
【図６】例示的な実施例に係るローカルルータに対して記憶パラメータを設定する概略図である。
【図７】例示的な実施例に係る撮像設備がビデオファイルに対して動的検出を行う概略図である。
【図８】例示的な実施例に係る撮像設備がビデオファイルに対してフレーム検出を行う概略図である。
【図９】例示的な実施例に係るビデオファイルにおいて変化したビデオフレームをビデオファイルの表紙に設定する概略図である。
【図１０】例示的な実施例に係るビデオのバックアップ装置を示す概略ブロック図である。
【図１１】例示的な実施例に係る他のビデオのバックアップ装置を示す概略ブロック図である。
【図１２】例示的な実施例に係る他のビデオのバックアップ装置を示す概略ブロック図である。
【図１３】例示的な実施例に係る他のビデオのバックアップ装置を示す概略ブロック図である。
【図１４】例示的な実施例に係る他のビデオのバックアップ装置を示す概略ブロック図である。
【図１５】例示的な実施例に係る他のビデオのバックアップ装置を示す概略ブロック図である。
【図１６】例示的な実施例に係る他のビデオのバックアップ装置を示す概略ブロック図である。
【図１７】例示的な実施例に係る他のビデオのバックアップ装置を示す概略ブロック図である。
【図１８】例示的な実施例に係る他のビデオのバックアップ装置を示す概略ブロック図である。
【図１９】例示的な実施例に係る他のビデオのバックアップ装置を示す概略ブロック図である。
【図２０】例示的な実施例に係る他のビデオのバックアップ装置を示す概略ブロック図である。
【図２１】例示的な実施例に係る他のビデオのバックアップ装置を示す概略ブロック図である。
【図２２】例示的な実施例に係るビデオのバックアップ装置のための構造を示す概略ブロック図である。
【図２３】例示的な実施例に係る他のビデオのバックアップ装置のための構造を示す概略ブロック図である。
【発明を実施するための形態】
【００４４】
以下、例示的な実施例を詳しく説明し、その例示を図面に示している。下記の記載において、図面に関わる場合は、特に言明する場合以外に、異なる図面における同じ数字が同じ又は類似する要素を示す。下記の例示的な実施例に記載の実施形態は、本発明と一致する全ての実施形態を代表するというわけではない。逆に、それらは、特許請求の範囲に記載の本発明のある方面に一致する装置及び方法の例に過ぎない。
【００４５】
本発明に用いる用語は、特定の実施例を説明するものに過ぎず、本発明を限定するものではない。本発明及び特許請求の範囲に記載の単数形式の「１種類」、「前記」及び「当該」は、前後の文章においてそれぞれ他の意味を含有すると明確に記載される以外には、複数の形式も含んでいる。ここで、本発明に記載の「及び／又は」は、挙げられる事項の1つ又は複数の何れ又は全ての組み合わせを意味する。
【００４６】
本発明は、第１の、第２の、第３の等の用語により各種の情報を説明しているが、それらの情報は上記用語に限られない。これらの用語は、同じ種類の情報同士を区分するためのものに過ぎない。例えば、本発明の範囲から逸脱しない場合、第１の情報を第２の情報と称しても良い。同じように、第２の情報を第１の情報と称してもよい。用語「……場合」は、上下文により、「……時」或は「……と」又は「確定に応じる」に解釈されてもよい。
【００４７】
図１に示すように、図１は、例示的な実施例に係るビデオのバックアップ方法を示す。当該ビデオのバックアップ方法は、撮像設備に用いられ、下記のステップを備える。
【００４８】
ステップ１０１、ビデオファイルを録画する。
【００４９】
本実施例では、撮像設備は、ビデオファイルを録画する前に、携帯端末の設定指令を受信することで録画パラメータを設定することができる。前記設定指令は、録画品質を設定する指令、ビデオファイルグルーピングサイクルを設定する指令、及び各ビデオファイルの再生時間を設定する指令の中の少なくとも１つを備えてもよい。
【００５０】
録画パラメータを設定した後、撮像設備は、設定された前記録画品質及びビデオファイルの再生時間に基づき各ビデオファイルを録画し、各ビデオファイルの録画開始時間を当該ビデオファイルのファイル名に付けて、ローカル記憶空間に記憶してもよい。ここで、前記録画品質は、高精細度又は標準品質を選択することができる。同時に、前記ビデオファイルのグルーピングサイクルに基づき、録画したビデオファイルをグルーピングし、前記ビデオファイルのグルーピングサイクル内に録画したビデオファイルを独立のビデオフォルダに分類してもよい。例えば、各ビデオファイルの再生時間が１分間であり、前記ビデオファイルのグルーピングサイクルが１時間であるとすると、撮像設備は、１時間を周期として、１時間毎に録画したビデオファイルを１つの独立のビデオフォルダに分類することができる。
【００５１】
また、ユーザが分類したビデオファイルに対して便利にサーチを行うことができるように、撮像設備は、ビデオフォルダを、このフォルダ内に分類されたビデオファイルの発生期間で命名してもよい。例えば、あるビデオフォルダ内に分類されたのは８月１６日２１時という時間内に録画したビデオであると、当該ビデオフォルダを８月１６日２１時で命名することができる。
【００５２】
ステップ１０２、録画したビデオファイルを接続されたローカルルータにバックアップする。
【００５３】
本実施例では、録画したビデオファイルをバックアップする場合、録画が完了した後、ローカルルータに自動的にバックアップしてもよいし、ユーザにより手動的にバックアップしてもよい。前記接続はＷｉ−Ｆｉ等の無線接続であってもよいし、有線接続であってもよい。
【００５４】
本実施例では、録画したビデオファイルを接続されたローカルルータにバックアップする前に、録画したビデオファイルにおいて画像が変化したか否かを検出し、変化したビデオファイルのみをバックアップしてもよい。これにより、実質的な内容がないビデオファイルをバックアップすることが避けられ、記憶空間が節約される。当然ながら、録画したビデオファイルにおいて画像が変化したか否かを検出することは、ローカルルータにおいて行ってもよい。
【００５５】
ビデオファイルにおいて画像が変化したか否かを検出することは、当該ビデオファイルに対して動的検出を行って、当該ビデオファイルに動的目標が存在しているか否かを確定することにより実現されてもよい。動的目標が存在していると、当該ビデオファイルにおいて画像が変化したと確定する。また、当該ビデオファイルに対してビデオフレーム検出を行って、当該ビデオファイルにおいてビデオフレームの画像変化面積が閾値よりも大きいか否かを比較することにより実現されてもよい。当該ビデオファイルにおいてビデオフレームの画像変化面積が閾値よりも大きいと検出されると、当該ビデオファイルにおいて画像が変化したと確定する。ここで、閾値の大きさについて、本発明は特に限定しない。
【００５６】
上記実施例では、録画したビデオファイルを接続されたローカルルータにバックアップすることにより、一層大きい記憶空間が提供され、素早くサーチするか、プレビューすることが便利になり、記憶されたビデオファイルのセキュリティがさらに高くなる。
【００５７】
図２に示すように、図２は、例示的な実施例に係るビデオのバックアップ方法を示す。当該ビデオのバックアップ方法は、ローカルルータに用いられ、下記のステップを備える。
【００５８】
ステップ２０１、接続された撮像設備が録画したビデオファイルを取得する。
【００５９】
本実施例において、ローカルルータが接続された撮像設備により録画したビデオファイルを取得することは、ローカルルータにより周期毎に自発的に取得してもよいし、撮像設備が自発的にアップロードしてもよい。前記接続は、Ｗｉ−Ｆｉ等の無線接続であってもよいし、有線接続であってもよい。
【００６０】
本実施例において、ローカルルータは、接続された撮像設備により録画したビデオファイルを取得する前に、携帯端末の設定指令を受信することで記憶パラメータを設定してもよい。前記設定指令は、記憶品質を設定する指令、記憶空間の大きさを設定する指令、及び記憶時間の長さを設定する指令の中の少なくとも１つを備えてもよい。ここで、前記記憶指令として、高精細度又は標準品質を指定することができる。前記記憶空間の大きさとは、ローカルルータのハードディスクにおける撮像設備に録画されるビデオファイルを記憶するための空間の大きさであり、ユーザより確定してもよい。例えば、ローカルルータのハードディスクの空間が１Ｔであるとすると、ユーザが携帯端末を介して設定指令を送信して記憶空間の大きさを８Ｇに設定することができ、即ち、１Ｔ空間中の８Ｇに、撮像設備に録画されるビデオファイルを記憶する。前記記憶時間の長さとは、撮像設備により録画されたビデオファイルをローカルルータに記憶可能な最大時間の長さである。例えば、前記記憶時間の長さを１日、1週間又は１ヶ月に設定してもよい。前記記憶時間の長さを１ヶ月に設定する場合、多くとも1ヶ月以内の撮像設備のビデオファイルをローカルルータにバックアップすることができる。
【００６１】
ステップ２０２、取得したビデオファイルをローカルでバックアップする。
【００６２】
本実施例では、取得したビデオファイルをローカルでバックアップする前に、取得したビデオファイルにおいて画像が変化したか否かを検出し、画像が変化したビデオファイルのみをバックアップしてもよい。これにより、実質的な内容がないビデオファイルをバックアップしてしまうことが避けられ、記憶空間が節約される。当然ながら、録画したビデオファイルにおいて画像が変化したか否かを検出することは、撮像設備で行ってもよい。
【００６３】
ビデオファイルにおいて画像が変化したか否かを検出することは、当該ビデオファイルに対して動的検出を行って、当該ビデオファイルに動的目標が存在しているか否かを確定することにより実現されてもよい。動的目標が存在していると、当該ビデオファイルにおいて画像が変化したと確定する。また、当該ビデオファイルに対してビデオフレーム検出を行って、当該ビデオファイルにおけるビデオフレームの画像変化面積が閾値よりも大きいか否かを比較することで実現されてもよい。当該ビデオファイルにおけるビデオフレームの画像変化面積が閾値よりも大きいことが検出されると、当該ビデオファイルにおいて画像が変化したと確定する。
【００６４】
上記実施例では、録画したビデオファイルを接続されたローカルルータにバックアップすることにより、一層大きい記憶空間を提供することができ、素早くサーチするか、プレビューすることが便利になり、記憶されるビデオファイルのセキュリティ性がさらに高くなる。
【００６５】
図３に示すように、図３は、例示的な実施例に係るビデオのバックアップ方法であり、下記のステップを備える。
【００６６】
ステップ３０１、撮像設備は、携帯端末の設定指令を受信し、受信した設定指令に基づき録画パラメータを設定する。
【００６７】
本実施例において、前記携帯端末は、撮像設備へ設定指令を送信する前に、撮像設備との接続を確立してもよい。例えば、携帯端末は、撮像設備と同一のＷｉ−Ｆｉ環境にあるとき、撮像設備にＷｉ−Ｆｉ接続してもよい。接続を確立したとき、ユーザは、携帯端末にプリインストールしたクライアントソフトウェアにより撮像設備の録画パラメータを設定し、そして、設定した録画パラメータを設定指令として撮像設備に送信してもよい。ここで、前記設定指令は、録画品質を設定する指令、ビデオファイルのグルーピングサイクルを設定する指令、及び各ビデオファイルの再生時間を設定する指令の中の少なくとも１つを備えてもよい。
【００６８】
ステップ３０２、撮像設備がビデオファイルを録画する。
【００６９】
本実施例では、録画パラメータを設定した後、撮像設備は、設定した前記録画品質及びビデオファイルの再生時間に基づきビデオファイルを録画し、録画した各ビデオファイルの録画開始時間を当該ビデオファイルのファイル名に付けて、ローカル記憶空間に記憶してもよい。ここで、前記録画品質として、高精細度又は標準品質を指定することができる。同時に、ビデオファイルのグルーピングサイクルに基づき録画したビデオファイルをグルーピングし、前記ビデオファイルのグルーピングサイクル内に録画したビデオファイルを独立のビデオフォルダに分類してもよい。ここで、ユーザが分類したビデオファイルを便利にサーチできるように、撮像設備は、ビデオフォルダを、当該フォルダに分類されたビデオファイルの発生時間で命名してもよい。
【００７０】
例えば、図４に示すように、設定された前記各ビデオファイルの再生時間が１分間であり、前記ビデオファイルのグルーピングサイクルが１時間であるとすると、撮像設備は、１時間を周期として一時間毎に録画したビデオファイルを１つの独立のビデオフォルダに分類してもよい。図４に示すように、撮像設備が２０１４年７月２２日２１時から２０１４年７月２３日３時までの期間内に録画したビデオを、一時間を周期として独立のビデオフォルダにそれぞれ分類し、そして、各ビデオフォルダを、当該フォルダに分類されたビデオファイルの録画時間帯でそれぞれ命名してもよい。図５に示すように、図５は、図４の名称が「２０１４年０７月２２日２１時」であるビデオフォルダの開いた状態を示す概略図である。図５に示すように、図５に示すビデオファイルは、撮像設備が２０１４年０７月２２日２１時という一時間帯に録画したビデオファイルであり、各ビデオファイルの名称は、当該ビデオファイルの録画開始時刻である。例えば、図５において、名称が「０７分００秒」であるビデオファイルは、２０１４年０７月２２日２１時０７分００秒という時刻から１分間録画したビデオファイルである。
【００７１】
ステップ３０３では、ローカルルータは、携帯端末の設定指令を受信し、受信した設定指令に基づき記憶パラメータを設定し、かつ接続された撮像設備が録画したビデオファイルを取得する。
【００７２】
本実施例において、前記携帯端末は、撮像設備へ設定指令を送信する前に、撮像設備との接続を確立しても良い。例えば、携帯端末は、ローカルルータと同一のＷｉ−Ｆｉ環境にある時、当該ローカルルータにＷｉ−Ｆｉ接続してもよい。接続を確立した後、ユーザは、携帯端末にプリインストールしたクライアントソフトウェアにより、ローカルルータの記憶パラメータを設定し、そして、設定された記憶パラメータを設定指令としてローカルルータに送信してもよい。ここで、前記設定指令は、記憶品質を設定する指令、記憶空間の大きさを設定する指令、及び記憶時間の長さを設定する指令の中の少なくとも１つを備えてもよい。ここで、記憶品質は高精細度又は標準品質であってもよい。前記記憶時間の長さとは、ローカルルータの撮像設備に録画されたビデオファイルを記憶可能な最大時間の長さである。前記記憶空間の大きさとは、ローカルルータのハードディスク中の撮像設備に録画されたビデオファイルを記憶するための空間の大きさである。
【００７３】
例えば、図６に示すように、ユーザは、携帯端末にプリインストールされたクライアントソフトウェアを介して、ローカルルータに対して記憶指令として高精細度ビデオ又は標準品質ビデオを設定し、前記記憶時間の長さを１日、1週間又は1ヶ月に設定しても良い。ローカルルータのハードディスクの空間が１Ｔであるとすると、記憶空間の大きさを８Ｇに設定してもよい。即ち、１Ｔ中の８Ｇの空間に撮像設備が録画したビデオファイルを記憶する。
【００７４】
本実施例では、記憶パラメータを設定した後、ローカルルータは、撮像設備がローカルで録画したビデオファイルをバックアップすることができる。ここで、ローカルルータは、撮像設備がローカルで録画したビデオファイルをバックアップするとき、録画したビデオファイルを撮像設備から周期毎に自発的に取得してバックアップしてもよいし、撮像設備によりアップロードされるビデオファイルを受信してバックアップしてもよい。撮像設備は、録画したビデオファイルをアップロードするとき、録画完了後、ローカルルータに自動的にアップロードしてもよいし、ユーザにアップロード選択肢を提供してユーザにより手動的にアップロードしてもよい。
【００７５】
ここで、撮像設備は、録画したビデオファイルをローカルルータにアップロードする前に、録画したビデオファイルにおいて画像が変化したか否かを検出し、変化したビデオファイルのみをバックアップしてもよい。これにより、実質的な内容がないビデオファイルをバックアップしてしまうことが避けられ、記憶空間が節約される。
【００７６】
撮像設備は、前記ビデオファイルにおいて画像が変化したか否かを検出することは、当該ビデオファイルに対して動的検出を行って、当該ビデオファイルに動的目標が存在しているか否かを確定することにより実現されてもよいし、当該ビデオファイルに対してビデオフレーム検出を行って、当該ビデオファイルにおいてビデオフレームの画像変化面積が閾値よりも大きいか否かを比較することにより実現されてもよい。
【００７７】
例えば、図７に示すように、撮像設備は、ビデオファイルに対して動的検出するとき、当該ビデオファイルに動的目標が存在していることを検出したか否かを判定し、動的目標、例えば、移動中の車両が検出されると、当該ビデオファイルにおいて画像が変化したと確定する。逆に、動的目標が検出されないと、当該ビデオファイルにユーザが興味を持った内容が存在しない可能性が高い。例えば、監視ビデオ分野での応用において、カメラが撮ったビデオファイルに動的目標が存在しないと、当該ビデオファイルを再生する必要がなく、動的目標が存在しないビデオファイルをバックアップする必要が全くない。
【００７８】
図８に示すように、撮像設備は、ビデオファイルに対してビデオフレーム検出を行う時、当該ビデオファイルにおけるビデオフレームの画像変化面積が閾値よりも大きいか否かを判定してもよい。閾値よりも大きい場合、当該ビデオファイルにおいて画像が変化したと確定する。逆に、当該ビデオファイルにおいてビデオフレームの画像変化面積が閾値以下である場合、当該ビデオファイルにおいて画像が変化していないと認定し、当該ビデオファイルをバックアップしない。ここで、前記閾値について、本発明は特に限定しない。
【００７９】
例えば、前記ビデオファイルから２つのフレーム画像を抽出し、そして、この２つのフレーム画像の画素を比較し、画像において異なる画素の数が占める面積が閾値よりも大きい場合、当該ビデオファイルが変化したと認定する。図８に示すように、ビデオフレーム１には走行中の一車両の一角が露出され、ビデオフレーム２には２台の走行中の車両が完全に露出されるため、ビデオフレーム１とビデオフレーム２との画素を比較する時、例えば、図８に示す領域１、領域２及び領域３は、画像が変化した領域であると認定しても良い。よって、領域１、領域２及び領域３の総面積が閾値よりも大きい場合、当該ビデオファイルが変化したと認定する。
【００８０】
ここで、抽出された２つのフレーム画像は、ビデオファイル中の開始フレーム及び終了フレームであってもよいし、当該ビデオファイルにおける全てのビデオフレームからランダムに抽出した２つのフレーム画像であってもよい。当然ながら、当該ビデオファイルにおけるビデオフレームの画像変化面積が閾値よりも大きいか否かを判定する時、ビデオフレームを抽出して比較しなく、当該ビデオファイルにおける全てのビデオフレームを連続に比較してもよい。当該ビデオファイルにおける開始フレーム以外のフレームの、その前のフレームに比べて異なる画像の数が画像において占める面積は閾値を超える場合、当該ビデオファイルが変化したと認定する。
【００８１】
ステップ３０４、ローカルルータは、取得したビデオファイルをローカルでバックアップする。
【００８２】
本実施例おいて、ローカルルータは取得したビデオファイルをローカルでバックアップする前に、取得したビデオファイルにおいて画像が変化したか否かを検出し、変化したビデオファイルのみをバックアップしてもよい。これにより、実質的な内容がないビデオファイルをバックアップしてしまうことが避けられ、記憶空間が節約される。ここで、ローカルルータは、前記ビデオファイルにおいて画像が変化したか否かを検出することは、当該ビデオファイルに対して動的検出して、当該ビデオファイルに動的目標が存在しているか否かを確定することにより実現されてもよいし、当該ビデオファイルに対してビデオフレーム検出を行って、当該ビデオファイルにビデオフレームの画像変化面積が閾値よりも大きいか否かを比較することにより実現されてもよい。具体的な過程は、上記説明と同じであるため、ここで贅言しない。
【００８３】
当然ながら、撮像設備は、ローカルで録画したビデオファイルをローカルルータにアップロードする前に、ローカルで録画したビデオファイルに対して、ビデオファイルにおいて画像が変化したか否かを検出する操作を実行し、画像が変化したビデオファイルのみをローカルルータにアップロードしたとすると、ローカルルータは、取得したビデオファイルに対して、ビデオファイルにおいて画像が変化したか否かの検出を、ローカルで行わない。
【００８４】
上述した実施例では、撮像設備が録画したビデオファイルを、前記撮像設備に接続されたローカルルータにバックアップすることにより、ビデオファイルのバックアップに一層大きい記憶空間を提供することができ、バックアップしたビデオファイルをサーチするか、プレビューするとき、ローカルルータにて直接に行うことができ、さらに便利で素早くなり、かつセキュリティ性も一層高くなる。
【００８５】
また、撮像設備がビデオファイルを録画するとき、録画開始時間でビデオファイルを命名し、設定したビデオファイルのグルーピングサイクルに基づきローカルに記憶されるビデオファイルをグルーピングし、独立のビデオフォルダに分類することにより、ユーザが録画したビデオファイルに対するサーチが便利になる。
【００８６】
また、撮像設備が録画したビデオファイルをバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【００８７】
他の実施例では、上述した図１又は図３に示す実施例を併せて、撮像設備は、ビデオファイルにおいて変化したビデオフレームを前記ビデオファイルの表紙に設定してもよい。これにより、ユーザがバックアップしたビデオファイルに対してサーチする時、前記表紙により当該ビデオファイルの内容を初歩的に獲得でき、サーチが一層直観になる。
【００８８】
例えば、図９に示すように、バックアップしたビデオファイルの表紙に、当該ビデオファイルにおいて変化したビデオフレームを設定することにより、当該ビデオファイルを開かなくても当該ビデオファイルにおいて変化したビデオフレームを直観に表示することができる。
【００８９】
本発明は、前述したビデオのバックアップ方法の実施例に対応して、ビデオのバックアップ装置の実施例も提供する。
【００９０】
図１０は、例示的な実施例に係るビデオのバックアップ装置を示す概略ブロック図である。
【００９１】
図１０に示すように、例示的な実施例に係るビデオのバックアップ装置１０００は、撮像設備に用いられ、録画モジュール１００１及び第１のバックアップモジュール１００２を備え、
前記録画モジュール１００１は、ビデオファイルを録画するように配置され、
前記第１のバックアップモジュール１００２は、録画したビデオファイルを接続されたローカルルータにバックアップするように配置される。
【００９２】
上述した実施例では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高くなる。
【００９３】
図１１に示すように、図１１は、本発明の例示的な実施例に係る他のビデオのバックアップ装置を示すブロック図である。当該実施例では、前述した図１０に示す実施例に基づき、前記装置１０００は、第１の受信モジュール１００３及び第１の設定モジュール１００４をさらに備え、
前記第１の受信モジュール１００３は、ビデオファイルを録画する前に、携帯端末の設定指令を受信するように配置され、
前記第１の設定モジュール１００４は、接收した設定指令に基づき録画パラメータを設定するように配置され、
ここで、前記設定指令は、録画品質を設定する指令、ビデオファイルのグルーピングサイクルを設定する指令、及び各ビデオファイルの再生時間を設定する指令の中の少なくとも１つを備えてもよい。
【００９４】
上述実施例では、携帯端末の設定指令を受信することで録画パラメータを設定し、これにより、ユーザが携帯端末を介して撮像設備を遠隔操作することができる。
【００９５】
図１２に示すように、図１２は、本発明の例示的な実施例に係る他のビデオのバックアップ装置を示すブロック図である。当該実施例では、前述した図１０に示す実施例に基づき、前記録画モジュール１００１は、録画サブモジュール１００１Ａ、設定サブモジュール１００１Ｂ及び分類サブモジュール１００１Ｃを備え、
前記録画サブモジュール１００１Ａは、設定した前記録画品質及びビデオファイルの再生時間に基づき各ビデオファイルを録画するように配置され、
前記設定サブモジュール１００１Ｂは、各ビデオファイルの録画開始時間を当該ビデオファイルのファイル名に付けてローカルに保存するように配置され、
前記分類サブモジュール１００１Ｃは、前記ビデオファイルのグルーピングサイクル内に録画したビデオファイルを独立のビデオフォルダに分類するように配置されてもよい。
【００９６】
なお、上述した図１２に示す装置実施例における録画サブモジュール１００１Ａ、設定サブモジュール１００１Ｂ及び分類サブモジュール１００１Ｃは、前述した図１１に示す装置実施例に備えられてもよい。本発明はこれに対して限定しない。
【００９７】
上述した実施例では、ビデオファイルを録画する時、録画開始時間でビデオファイルを命名し、設定したビデオファイルのグルーピングサイクル内に録画したビデオファイルをローカルの記憶空間に保存して独立のビデオフォルダに分類することにより、ユーザが録画したビデオファイルをサーチすることが便利になる。
【００９８】
図１３に示すように、図１３は、本発明の例示的な実施例に係る他のビデオのバックアップ装置を示すブロック図である。当該実施例では、前述した図１０に示す実施例に基づき、前記第１のバックアップモジュール１００２は、第１の検出サブモジュール１００２Ａ及び第１のバックアップサブモジュール１００２Ｂを備え、
前記第１の検出サブモジュール１００２Ａは、録画したビデオファイルにおいて画像が変化したか否かを検出するように配置され、
前記第１のバックアップサブモジュール１００２Ｂは、前記ビデオファイルにおいて画像が変化したことを検出したとき、当該ビデオファイルを接続されたローカルルータにバックラップするように配置されてもよい。
【００９９】
なお、上述した図１３に示す装置実施例における第１の検出サブモジュール１００２Ａ及び第１のバックアップサブモジュール１００２Ｂは、前述した図１１〜１２に示す装置実施例に備えられてもよい。本発明はこれに対して限定しない。
【０１００】
上述した実施例では、録画したビデオファイルを接続されたローカルルータにバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【０１０１】
図１４に示すように、図１４は、本発明の例示的な実施例に係る他のビデオのバックアップ装置を示すブロック図である。当該実施例では、前述した図１３に示す実施例に基づき、前記第１の検出サブモジュール１００２Ａは、第１の動的検出サブモジュール１００２Ａ１及び第１の確定サブモジュール１００２Ａ２をさらに備え、
前記第１の動的検出サブモジュール１００２Ａ１は、前記ビデオファイルに対して動的検出を行うように配置され、
前記第１の確定サブモジュールは、前記ビデオファイルに動的目標が存在していることを検出した場合、前記ビデオファイルに画像が変化したと確定するように配置されてもよい。
【０１０２】
なお、上述した図１４に示す装置実施例における第１の動的検出サブモジュール１００２Ａ１及び第１の確定サブモジュール１００２Ａ２は、前述した図１１〜１３に示す装置実施例に備えられてもよい。本発明はこれに対して限定しない。
【０１０３】
図１５に示すように、図１５は、本発明の例示的な実施例に係る他のビデオのバックアップ装置を示すブロック図である。当該実施例では、前述した図１３に示す実施例に基づき、前記第１の検出サブモジュール１００２Ａは、第１のフレーム検出サブモジュール１００２Ａ３及び第２の確定サブモジュール１００２Ａ４をさらに備え、
前記第１のフレーム検出サブモジュール１００２Ａ３は、前記ビデオファイルに対してビデオフレーム検出を行うように配置され、
前記第２の確定サブモジュール１００２Ａ４は、当該ビデオファイルにおいてビデオフレームの画像変化面積が閾値よりも大きいことを検出した場合、当該ビデオファイルにおいて画像が変化したと確定するように配置されてもよい。
【０１０４】
ここで、上述した図１５に示す装置実施例における第１のフレーム検出サブモジュール１００２Ａ３及び第２の確定サブモジュール１００２Ａ４は、前述した図１１〜１４に示す装置実施例に備えられてもよい。本発明は、これに対して限定しない。
【０１０５】
図１６に示すように、図１６は、本発明の例示的な実施例に係る他のビデオのバックアップ装置を示すブロック図である。当該実施例では、前述した図１１に示す実施例に基づき、前記装置１０００は、表紙設定モジュール１００５をさらに備え、
前記表紙設定モジュール１００５は、前記ビデオファイルにおいて変化したビデオフレームを前記ビデオファイルの表紙に設定するように配置されてもよい。
【０１０６】
なお、上述した図１６に示す装置実施例における第２の設定モジュール１００５は、前述した図１１〜１５に示す装置実施例に備えられてもよい。本発明はこれに対して限定しない。
【０１０７】
上述した実施例では、前記ビデオファイルにおいて変化したビデオフレームを前記ビデオファイルの表紙に設定することにより、ユーザがビデオファイルをさらに直感的にサーチすることが便利になる。
【０１０８】
図１７は、例示的な実施例に係るビデオのバックアップ装置を示す概略ブロック図である。
【０１０９】
図１７に示すように、例示的な実施例に係るビデオのバックアップ装置１７００は、ローカルルータに用いられ、取得モジュール１７０１及び第２のバックアップモジュール１７０２を備え、
前記取得モジュール１７０１は、接続された撮像設備から録画したビデオファイルを取得するように配置され、
前記第２のバックアップモジュール１７０２は、取得したビデオファイルをローカルにバックアップするように配置される。
【０１１０】
上述した実施例では、録画したビデオファイルを接続されたローカルルータにバックアップすることにより、一層大きい記憶空間が提供され、素早くサーチするか、プレビューすることが便利になり、記憶されるビデオファイルのセキュリティ性がさらに高くなる。
【０１１１】
図１８に示すように、図１８は、本発明の例示的な実施例に係る他のビデオのバックアップ装置を示すブロック図である。当該実施例では、前述した図１７に示す実施例に基づき、前記装置１７００は、第２の受信モジュール１７０３及び第２の設定モジュール１７０４をさらに備え、
前記第２の受信モジュール１７０３は、接続された撮像設備から録画したビデオファイルを取得する前に、携帯端末の設定指令を受信するように配置され、
前記第２の設定モジュール１７０４は、受信した設定指令に基づき記憶パラメータを設定するように配置されてもよい。
【０１１２】
上述した実施例では、携帯端末の設定指令を受信することで録画パラメータを設定し、これにより、ユーザが携帯端末を介して撮像設備を遠隔操作することができる。
【０１１３】
図１９に示すように、図１９は、本発明の例示的な実施例に係る他のビデオのバックアップ装置を示すブロック図である。当該実施例では、前述した図１７に示す実施例に基づき、前記第２のバックアップモジュール１７０２は、第２の検出サブモジュール１７０２Ａ及び第２のバックアップサブモジュール１７０２Ｂをさらに備え、
前記第２の検出サブモジュール１７０２Ａは、取得したビデオファイルにおいて画像が変化したか否かを検出するように配置され、
前記第２のバックアップサブモジュール１７０２Ｂは、前記ビデオファイルにおいて画像が変化したことを検出した場合、取得したビデオファイルをローカルにバックアップするように配置されてもよい。
【０１１４】
なお、上述した図１９に示す装置実施例における第２の検出サブモジュール１７０２Ａ及び第２のバックアップサブモジュール１７０２Ｂは、前述した図１８に示す装置実施例に備えられてもよい。本発明はこれに対して限定しない。
【０１１５】
上述した実施例では、録画したビデオファイルを接続されたローカルルータにバックアップする前に、録画したビデオファイルにおいて画像が変化したか否かを検出し、変化したビデオファイルのみをバックアップすることにより、実質的な内容がないビデオファイルをバックアップしてしまうことが避けられ、記憶空間が節約される。
【０１１６】
図２０に示すように、図２０は、本発明の例示的な実施例に係る他のビデオのバックアップ装置を示すブロック図である。当該実施例は、前述した図１９に示す実施例に基づき、前記第２の検出サブモジュール１７０２Ａは、第２の動的検出サブモジュール１７０２Ａ１及び第３の確定サブモジュール１７０２Ａ２を備え、
前記第２の動的検出サブモジュール１７０２Ａ１は、取得したビデオファイルに対して動的検出を行うように配置され、
前記第３の確定サブモジュール１７０２Ａ２は、前記ビデオファイルにおいて動的目標が存在していることを検出した場合、当該ビデオファイルにおいて画像が変化したと確定するように配置されてもよい。
【０１１７】
なお、上述した図２０に示す装置実施例における第２の動的検出サブモジュール１７０２Ａ１及び第３の確定サブモジュール１７０２Ａ２は、前述した図１８〜１９に示す装置実施例に備えられてもよい。本発明はこれに対して限定しない。
【０１１８】
図２１に示すように、図２１は、本発明の例示的な実施例に係る他のビデオのバックアップ装置を示すブロック図である。当該実施例では、前述した図１９に示す実施例に基づき、前記第２の検出サブモジュール１７０２Ａは、第２のフレーム検出サブモジュール１７０２Ａ３及び第４の確定サブモジュール１７０２Ａ４を備え、
前記第２のフレーム検出サブモジュール１７０２Ａ３は、取得したビデオファイルに対してビデオフレーム検出を行うように配置され、
前記第４の確定サブモジュール１７０２Ａ４は、当該ビデオファイルにおいてビデオフレームの画像変化面積が閾値よりも大きいことを検出した場合、当該ビデオファイルにおいて画像が変化したと確定するように配置されてもよい。
【０１１９】
なお、上述した図２１に示す装置実施例における第２のフレーム検出サブモジュール１７０２Ａ３及び第４の確定サブモジュール１７０２Ａ４は、前述した図１８〜２０の装置実施例に備えられてもよい。本発明はこれに対して限定しない。
【０１２０】
上述した装置における各モジュールの機能及び作用の実現については、具体的に、上述した方法における対応するステップを参照でき、ここで、贅言しない。
【０１２１】
装置実施例は、基本的に方法実施例に対応するため、関連部分については、方法実施例の対応する部分を参照すればよい。上記装置実施例は例示的なものに過ぎない。上記独立の部材としてのモジュールは、物理的に独立するものであってもよいし、そうでないものであってもよく、モジュールとしての部材は、物理的なモジュールであってもよいし、そうでないものであってもよく、１つの位置にあってもよいし、複数のネットワークモジュールに分布していてもよい。本発明の技術案の目的を実現するために、必要に応じて上記モジュールの一部又は全部を選択することができる。これは、当業者が創造的労働をせずに理解して実施できることである。
【０１２２】
上記に対応するように、本発明は、ビデオのバックアップ装置をさらに提供する。前記装置は、メモリ、及び1つ又は１つ以上のプログラムを備え、１つ又は１つ以上のプログラムは、メモリに記憶され、さらに、１つ又は１つ以上のプロセッサーが配置され、１つ又は１つ以上のプロセッサーにより実行される１つ又は１つ以上のプログラムには、
ビデオファイルを録画する指令と、
録画したビデオファイルを接続されたローカルルータにバックアップする指令と、を有する。
【０１２３】
図２２は、例示的な実施例に係るファイルのバックアップ装置を示す構造概略図である。
【０１２４】
図２２に示すように、例示的な実施例に係るビデオのバックアップ装置２２００は、スマートカメラ、携帯電話、コンピュータ、デジタル放送端末、メッセージトランシーバ、ゲーム機、タブレットディバイス、医療施設、フィットネス機器、携帯情報端末等であってもよい。
【０１２５】
図２２に示すように、装置２２００は、処理ユニット２２０１、メモリ２２０２、電源ユニット２２０３、マルチメディアユニット２２０４、オーディユニット２２０５、入力／出力（Ｉ／Ｏ）のインターフェース２２０６、センサユニット２２０７、及び通信ユニット２２０８からなる群から選ばれる1つ又は複数を備えてもよい。
【０１２６】
処理ユニット２２０１は、一般的に装置２２００の統合操作、例えば、表示、通話、データ通信、カメラ操作及び記録操作に関連する操作を制御する。処理ユニット２２０１は、上述した方法におけるステップの一部又は全部を実現できるように、指令を実行する１つ又は複数のプロセッサー２２０９を備えてもよい。また、処理ユニット２２０１は、処理ユニット２２０１と他のユニットとの対話が便利になるように、１つ又は複数のモジュールを備えてもよい。例えば、処理ユニット２２０１は、マルチメディアユニット２２０４と処理ユニット２２０１との対話が便利になるように、マルチメディアモジュールを備えてもよい。
【０１２７】
メモリ２２０２は、装置２２００での操作をサポートできるように、各種のデータを記憶するように配置される。これらのデータは、例えば、装置２２００で操作するための何れのアプリケーションプログラム又は方法の指令、連絡先データ、電話帳データ、メッセージ、画像、ビデオ等を備える。メモリ２２０２は、何れの種類の揮発性又は不揮発性メモリ、或いはそれらの組み合わせ、例えば、静的随時読み出し書き込みメモリ（ＳＲＡＭ）、電気的に消去可能なプログラム可能読取り専用メモリ（ＥＥＰＲＯＭ）、消去可能なプログラム可能読取り専用メモリ（ＥＰＲＯＭ）、プログラム可能読取り専用メモリ（ＰＲＯＭ）、読取り専用メモリ（ＲＯＭ）、磁気メモリ、フラッシュメモリ、磁気ディスク又はコンパクトディスクにより実現することができる。
【０１２８】
電源ユニット２２０３は、装置２２００の各種のユニットに電力を供給する。電源ユニット２２０３は、電源管理システム、１つ又は複数の電源、及び装置２２００への電力生成、管理及び分配に関わる他のユニットを備えてもよい。
【０１２９】
マルチメディアユニット２２０４は、前記装置２２００とユーザとの間に出力インターフェースを提供するスクリーンを備える。ある実施例では、スクリーンは、液晶ディスプレイ（ＬＣＤ）及びタッチパネル（ＴＰ）を備えてもよい。スクリーンは、タッチパネルを備えると、ユーザからの入力信号を受信するために、タッチスクリーンとすることができる。タッチパネルは、タッチ、スライド又はタッチパネル上の手振りを感知するように１つ又は複数のタッチセンサを有する。前記タッチセンサは、タッチ又はスライド動作の境界を感知できるだけでなく、前記タッチ又はスライド操作に関わる持続時間及び圧力も感知できる。ある実施例では、マルチメディアユニット２２０４は、１つのフロントカメラ及び／又はバックカメラを有する。装置２２００が操作モード、例えば、撮影モード又はビデオモードにある時、フロントカメラ及び／又はバックカメラが外部のマルチメディアデータを受信できる。各フロントカメラ及びバックカメラは、固定の光学レンズ系であってもよいし、焦点距離及び光学ズーム能力を有するものであってもよい。
【０１３０】
オーディユニット２２０５は、オーディ信号を出力及び／又は入力するように配置される。例えば、オーディユニット２２０５は、１つのマイクロフォン（ＭＩＣ）を有し、装置２２００が操作モード、例えば、呼び出しモード、記録モード和オーディ認識モードにあるとき、マイクロフォンは、外部のオーディ信号を受信するように配置される。受信したオーディ信号は、メモリ２２０２に記憶されてもよいし、通信ユニット２２０８を介して送信されてもよい。ある実施例では、オーディユニット２２０５は、オーディ信号を出力するためのスピーカをさらに備えてもよい。
【０１３１】
Ｉ／Ｏインターフェース２２０２は、処理ユニット２２０１と外部のインターフェースモジュールとの間にインターフェースを提供する。上記外部のインターフェースモジュールは、キーボード、クリックホイール、ボタン等であってもよい。これらのボタンは、ホームボタン、音量ボタン、スタートボタン及びロックボタンを備えてもよいが、それらに限らない。
【０１３２】
センサユニット２２０７は、装置２２００の各方面の状態を評価するための１つ又は複数のセンサを備える。例えば、センサユニット２２０７は、装置２２００のオン／オフ状態、ユニットの相対的な位置を検出することができ、例えば、前記ユニットが装置２２００のディスプレイ及びキーパッドである。センサユニット２２０７は、装置２２００又は装置２２００の１つのユニットの位置変化、ユーザが装置２２００に接触しているか否か、装置２２００の方向又は加速／減速、及び装置２２００の温度変化を検出することができる。センサユニット２２０７は、何れの物理的な接触もない場合に付近の物体を検出するように配置される近接センサを有してもよい。センサユニット２２０７は、結像応用に用いるための光センサ、例えば、ＣＭＯＳ又はＣＣＤ画像センサを有してもよい。若干の実施例では、当該センサユニット２２０７は、加速度センサ、ジャイロスコープセンサ、磁気センサ、圧力センサ又は温度センサをさらに備えてもよい。
【０１３３】
通信ユニット２２０８は、装置２２００と他の設備との無線又は有線通信を便利にさせるように配置される。装置２２００は、通信標準に基づく無線ネットワーク、例えば、ＷｉＦｉ、２Ｇや３Ｇ、又はそれらの組み合わせにアクセスできる。１つの例示的な実施例では、通信ユニット２２０８は、放送チャンネルを介して外部の放送管理システムの放送信号又は放送に関する情報を受信する。１つの例示的な実施例では、前記通信ユニット２２０８は、近距離通信を促進するために近距離無線通信（ＮＦＣ）モジュールをさらに備える。例えば、ＮＦＣモジュールは、無線周波数認識装置（ＲＦＩＤ）技術、赤外線データ協会（ＩｒＤＡ）技術、超広帯域無線（ＵＷＢ）技術、ブルートゥース（ＢＴ）技術及び他の技術に実現されてもよい。
【０１３４】
例示的な実施例では、装置２２００は、上述した方法を実行するために、１つ又は複数の特定用途向け集積回路（ＡＳＩＣ）、デジタル信号プロセッサー（ＤＳＰ）、数字信号処理デバイス（ＤＳＰＤ）、プログラム可能論理デバイス（ＰＬＤ）、書替え可能ゲートアレイ（ＦＰＧＡ）、コントローラ、マイクロコントローラ、マイクロプロセッサー又は他の電子機器に実現されてもよい。
【０１３５】
例示的な実施例では、指令を有する非一時性のコンピュータ読み取り可能な記憶媒体、例えば、指令を有するメモリ２２０２をさらに提供する。前記指令は、上述した方法を実現するために、装置２２００のプロセッサー２２０９により実行されてもよい。例えば、前記非一時性コンピュータ読み取り可能な記憶媒体は、ＲＯＭ、読取り書込みメモリ（ＲＡＭ）、ＣＤ-ＲＯＭ、磁気テープ、ソフトディスク及び光データ記憶装置等であってもよい。
【０１３６】
非一時性コンピュータ読み取り可能な記憶媒体は、前記記憶媒体における指令が端末装置のプロセッサーにより実行される場合、
ビデオファイルを録画するステップと、
録画したビデオファイルを接続されたローカルルータにバックアップするステップと、を備えるセキュリティ制御方法を端末に実行させる。
【０１３７】
それに対応するように、本発明は、他のファイルのバックアップ装置をさらに提供する。前記装置は、メモリ、及び１つ又は1つ以上のプログラムを備え、１つ又は１つ以上のプログラムは、メモリに記憶され、１つ又は１つ以上のプロセッサーにより、前記１つ又は１つ以上のプログラムを実行することは、
接続する撮像設備が録画したビデオファイルを取得するための指令と、
取得したビデオファイルをローカルにバックアップするための指令と、を備える。
【０１３８】
図２３は、例示的な実施例に係るビデオのバックアップのための装置２３００を示すブロック図である。例えば、装置２３００は、ルータであってもよい。図２３に示すように、装置２３００は、処理ユニット２３２２を備え、さらに、１つ又は複数のプロセッサー、及び処理ユニット２３２２に実行可能な指令、例えば、アプリケーションプログラムを記憶するメモリ２３３２を代表とするメモリ資源をさらに備える。メモリ２３３２に記憶されるアプリケーションプログラムは、それぞれ１群の指令に対応する１つ又は1つ以上のモジュールを備えてもよい。また、処理ユニット２３２２は、上述したファイルのバックアップ方法を実行するために、指令を実行するように配置される。
【０１３９】
装置２３００は、装置２３００の電源管理を実行するように配置される１つの電源ユニット２３２６と、装置２３００をネットワークに接続するように配置される１つの有線又は無線ネットワークインターフェース２３５０と、１つの入力／出力（Ｉ/Ｏ）インターフェース２３５８とをさらに備えてもよい。装置２３００は、メモリ２３３２に記憶されるオペレーティングシステム、例えば、Ｗｉｎｄｏｗｓ ＳｅｒｖｅｒＴＭ、Ｍａｃ ＯＳ ＸＴＭ、ＵｎｉｘＴＭ, ＬｉｎｕｘＴＭ、ＦｒｅｅＢＳＤＴＭ又は類似するものを操作できる。
【０１４０】
当業者は、明細書を考慮してこの発明を実践した後、本発明の他の実施例を容易に想到し得る。本願は、本発明の任意変形、用途又は適応的な変化を含む。これらの変形、用途又は適当的な変化は、本発明の一般的な原理に従うものであり、本発明に開示されていない当分野の公知常識又は慣用の技術的手段を含む。明細書及び実施例は、例示的なものに過ぎない。本発明の本当の範囲及び精神は特許請求の範囲に基づく。
【０１４１】
なお、本発明は、上述の説明及び図面に示された精確な構造に限らず、その範囲から逸脱しない範囲で各種の補正及び変化を実施することができる。本発明の範囲は、特許請求の範囲のみに限定される。
【手続補正２】
【補正対象書類名】特許請求の範囲
【補正対象項目名】全文
【補正方法】変更
【補正の内容】
【特許請求の範囲】
【請求項１】
ビデオファイルを録画するステップと、
録画したビデオファイルを接続されたローカルルータにバックアップするステップと、を備えることを特徴とするビデオのバックアップ方法。
【請求項２】
前記ビデオファイルを録画するステップの前に、
携帯端末の設定指令を受信するステップと、
接收した設定指令に基づき録画パラメータを設定するステップと、を備え、
前記設定指令は、録画品質を設定する指令、ビデオファイルのグルーピングサイクルを設定する指令、及び各ビデオファイルの再生時間を設定する指令の中の少なくとも１つを備えることを特徴とする請求項１に記載のビデオのバックアップ方法。
【請求項３】
前記ビデオファイルを録画するステップは、
設定した前記録画品質及びビデオファイルの再生時間に基づき各ビデオファイルを録画するステップと、
各ビデオファイルの録画開始時間を当該ビデオファイルのファイル名に付けて、ローカルに保存するステップと、
前記ビデオファイルのグルーピングサイクル内に録画したビデオファイルを独立のビデオフォルダに分類するステップと、を備えることを特徴とする請求項２に記載のビデオのバックアップ方法。
【請求項４】
前記録画したビデオファイルを接続されたローカルルータにバックアップするステップは、
録画したビデオファイルにおいて画像が変化したか否かを検出するステップと、
前記ビデオファイルにおいて画像が変化したことを検出した場合、当該ビデオファイルを接続されたローカルルータにバックアップするステップと、を備えることを特徴とする請求項１に記載のビデオのバックアップ方法。
【請求項５】
前記録画したビデオファイルにおいて画像が変化したか否かを検出するステップは、
前記ビデオファイルに対して動的検出を行うステップと、
前記ビデオファイルにおいて動的目標が存在していることを検出した場合、前記ビデオファイルにおいて画像が変化したと確定するステップと、を備えることを特徴とする請求項４に記載のビデオのバックアップ方法。
【請求項６】
前記録画したビデオファイルにおいて画像が変化したか否かを検出するステップは、
前記ビデオファイルに対してビデオフレーム検出を行うステップと、
当該ビデオファイルにおいてビデオフレームの画像変化面積が閾値よりも大きいことを検出した場合、当該ビデオファイルにおいて画像が変化したと確定するステップと、を備えることを特徴とする請求項４に記載のビデオのバックアップ方法。
【請求項７】
前記ビデオファイルにおいて変化したビデオフレームを前記ビデオファイルの表紙に設定するステップをさらに備えることを特徴とする請求項４に記載のビデオのバックアップ方法。
【請求項８】
前記接続はＷｉ−Ｆｉ接続であることを特徴とする請求項１に記載のビデオのバックアップ方法。
【請求項９】
接続された撮像設備が録画したビデオファイルを取得するステップと、
取得したビデオファイルをローカルにバックアップするステップと、を備えることを特徴とするビデオのバックアップ方法。
【請求項１０】
前記接続された撮像設備が録画したビデオファイルを取得するステップの前に、
携帯端末の設定指令を受信するステップと、
接收した設定指令に基づき記憶パラメータを設定するステップと、を備え、
前記設定指令は、記憶品質を設定する指令、記憶空間の大きさを設定する指令、及び記憶時間の長さを設定する指令の中の少なくとも１つを備えることを特徴とする請求項９に記載のビデオのバックアップ方法。
【請求項１１】
前記取得したビデオファイルをローカルにバックアップするステップは、
取得したビデオファイルにおいて画像が変化したか否かを検出ステップと、
前記ビデオファイルにおいて画像が変化したことを検出した場合、取得したビデオファイルをローカルにバックアップするステップと、を備えることを特徴とする請求項９に記載のビデオのバックアップ方法。
【請求項１２】
前記取得したビデオファイルにおいて画像が変化したか否かを検出するステップは、
取得したビデオファイルに対して動的検出を行うステップと、
前記ビデオファイルにおいて動的目標が存在していることを検出した場合、当該ビデオファイルにおいて画像が変化したと確定するステップと、を備えることを特徴とする請求項１１に記載のビデオのバックアップ方法。
【請求項１３】
前記取得したビデオファイル画像が変化したか否かを検出するステップは、
取得したビデオファイルに対してビデオフレーム検出を行うステップと、
当該ビデオファイルにおいてビデオフレームの画像変化面積が閾値よりも大きいことを検出したとき、当該ビデオファイルにおいて画像が変化したと確定するステップと、を備えることを特徴とする請求項１１に記載のビデオのバックアップ方法。
【請求項１４】
ビデオファイルを録画する録画モジュールと、
録画したビデオファイルを接続されたローカルルータにバックアップする第１のバックアップモジュールと、を備えることを特徴とするビデオのバックアップ装置。
【請求項１５】
ビデオファイルを録画する前に、携帯端末の設定指令を受信する第１の受信モジュールと、
受信した設定指令により録画パラメータを設定する第１の設定モジュールと、をさらに備え、
前記設定指令は、録画品質を設定する指令、ビデオファイルのグルーピングサイクルを設定する指令、及び各ビデオファイルの再生時間を設定する指令の中の少なくとも１つを備えることを特徴とする請求項１４に記載のビデオのバックアップ装置。
【請求項１６】
前記録画モジュールは、
設定した前記録画品質及びビデオファイルの再生時間に基づき各ビデオファイルを録画する録画サブモジュールと、
各ビデオファイルの録画開始時間を当該ビデオファイルのファイル名に付けて、ローカルに保存する設定サブモジュールと、
前記ビデオファイルのグルーピングサイクル内に録画したビデオファイルを独立のビデオフォルダに分類する分類サブモジュールと、を備えることを特徴とする請求項１５に記載のビデオのバックアップ装置。
【請求項１７】
前記第１のバックアップモジュールは、
録画したビデオファイルにおいて画像が変化したか否かを検出する第１の検出サブモジュールと、
前記ビデオファイルにおいて画像が変化したことを検出した場合、当該ビデオファイルを接続されたローカルルータにバックアップする第１のバックアップサブモジュールと、を備えることを特徴とする請求項１に記載のビデオのバックアップ装置。
【請求項１８】
前記第１の検出サブモジュールは、
前記ビデオファイルに対して動的検出を行う第１の動的検出サブモジュールと、
前記ビデオファイルにおいて動的目標が存在していることを検出した場合、前記ビデオファイルにおいて画像が変化したと確定する第１の確定サブモジュールと、を備えることを特徴とする請求項１７に記載のビデオのバックアップ装置。
【請求項１９】
前記第１の検出サブモジュールは、
前記ビデオファイルに対してビデオフレーム検出を行う第１のフレーム検出サブモジュールと、
当該ビデオファイルにおいてビデオフレームの画像変化面積が閾値よりも大きいことを検出した場合、当該ビデオファイルにおいて画像が変化したと確定する第２の確定サブモジュールと、を備えることを特徴とする請求項１７に記載のビデオのバックアップ装置。
【請求項２０】
前記ビデオファイルにおいて変化したビデオフレームを前記ビデオファイルの表紙に設定する表紙設定モジュールをさらに備えることを特徴とする請求項１７に記載のビデオのバックアップ装置。
【請求項２１】
前記接続はＷｉ−Ｆｉ接続であることを特徴とする請求項１に記載のビデオのバックアップ装置。
【請求項２２】
接続された撮像設備から録画したビデオファイルを取得する取得モジュールと、
取得したビデオファイルをローカルにバックアップする第２のバックアップモジュールと、を備えることを特徴とするビデオのバックアップ装置。
【請求項２３】
接続された撮像設備から録画したビデオファイルを取得する前、携帯端末の設定指令を受信する第２の受信モジュールと、
受信した設定指令に基づき記憶パラメータを設定する第２の設定モジュールと、をさらに備え、
前記設定指令は、記憶品質を設定する指令、記憶空間の大きさを設定する指令、及び記憶時間の長さを設定する指令の中の少なくとも１つを備えることを特徴とする請求項２２に記載のビデオのバックアップ装置。
【請求項２４】
前記第２のバックアップモジュールは、
取得したビデオファイルにおいて画像が変化したか否かを検出する第２の検出サブモジュールと、
前記ビデオファイルにおいて画像が変化したことを検出した場合、取得したビデオファイルをローカルにバックアップする第２のバックアップサブモジュールと、を備えることを特徴とする請求項２２に記載のビデオのバックアップ装置。
【請求項２５】
前記第２の検出サブモジュールは、
取得したビデオファイルに対して動的検出を行う第２の動的検出サブモジュールと、
前記ビデオファイルにおいて動的目標が存在していることを検出した場合、当該ビデオファイルにおいて画像が変化したと確定する第３の確定サブモジュールと、を備えることを特徴とする請求項２４に記載のビデオのバックアップ装置。
【請求項２６】
前記第２の検出サブモジュールは、
取得したビデオファイルに対してビデオフレーム検出を行う第２のフレーム検出サブモジュールと、
当該ビデオファイルにおいてビデオフレームの画像変化面積が閾値よりも大きいことを検出した場合、当該ビデオファイルにおいて画像が変化したと確定する第４の確定サブモジュールと、を備えることを特徴とする請求項２４に記載のビデオのバックアップ装置。
【請求項２７】
プロセッサーと
プロセッサーが実行可能な指令を記憶するメモリと、を備え、
前記プロセッサーは、
ビデオファイルを録画し、
録画したビデオファイルを接続されたローカルルータにバックアップするように配置されることを特徴とするビデオのバックアップ装置。
【請求項２８】
プロセッサーと、
プロセッサーが実行可能な指令を記憶するメモリと、を備え、
前記プロセッサーは、
接続された撮像設備から録画したビデオファイルを取得し、
取得したビデオファイルをローカルにバックアップするように配置されることを特徴とするビデオのバックアップ装置。
【請求項２９】
プロセッサに実行されることにより、請求項１から請求項１３のいずれかに記載のビデオのバックアップ方法を実現することを特徴とするプログラム。
【請求項３０】
請求項２９に記載のプログラムが記録された記録媒体。
【国際調査報告】
2016534666.tif 000026
2016534666.tif 000027
2016534666.tif 000028
2016534666.tif 000029